(57)【要約】【課題】  顧客はリスクミニマムで消費電力削減システムを導入でき、管理者は収益が期待できる電力消費量の削減高管理システムを提供。【解決手段】  電力消費量を削減制御する制御装置と、制御装置が削減制御した電力消費量の削減高に関する情報を取得する第１情報機器と、第１情報機器と通信ネットワークを介して接続されたサーバと、サーバと通信ネットワークを介して接続された管理者が管理する情報機器とを有し、サーバは、電力消費量の削減高に関する情報を第１情報機器から取得するとともに、取得した電力消費量の削減高に関する情報を前記管理者が管理する情報機器に提供する。【選択図】        図１
2006018629.tif 000002
【特許請求の範囲】
【請求項１】
電力消費装置に接続し、前記電力消費装置が消費する電力消費量を削減制御する制御装置と、
前記制御装置が削減制御した電力消費量の削減高に関する情報を取得する第１情報機器と、
前記第１情報機器と通信ネットワークを介して接続されたサーバと、
前記サーバと通信ネットワークを介して接続された管理者が管理する情報機器とを有し、
前記サーバは、前記電力消費量の削減高に関する情報を前記第１情報機器から取得するとともに、取得した電力消費量の削減高に関する情報を前記管理者が管理する情報機器に提供することを特徴とする電力消費量の削減高管理システム。
【請求項２】
顧客の電力消費装置に接続し、前記電力消費装置が消費する電力消費量を削減制御する制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、
前記サーバの制御のもとでは、
前記電力消費量の削減高に関する情報を前記第１情報機器から取得し、
前記管理者が管理する情報機器の制御のもとでは、
前記サーバに対し、前記電力消費量の削減高に関する情報の提供を要請し、
前記サーバの制御のもとでは、
前記管理者が管理する情報機器からの要請を受け付けて、前記取得した電力消費量の削減高に関する情報を前記管理者が管理する情報機器に提供し、
前記管理者が管理する情報機器の制御のもとでは、
前記電力消費量の削減高に関する情報を取得するものであって、
前記制御装置は管理者が顧客に貸与し、前記電力消費量の削減高に関する情報をもとに求めた電力消費量の削減高を、あらかじめ決められた分配比率に基づき顧客と管理者が分配することを特徴とする電力消費量の削減高分配方法。
【請求項３】
顧客の電力消費装置に接続し、前記電力消費装置が消費する電力消費量を削減制御する顧客に貸与した制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、
前記サーバの制御のもとでは、
前記電力消費量の削減高に関する情報を前記第１情報機器から取得し、取得した電力消費量の削減高に関する情報をもとに、電力消費量の削減高を顧客と管理者が分配する金額を、あらかじめ決められた分配比率に基づき算出し、
前記管理者が管理する情報機器の制御のもとでは、
前記サーバに対し、前記顧客と管理者が分配する金額を含む情報の提供を要請し、
前記サーバの制御のもとでは、
前記管理者が管理する情報機器からの要請を受け付けて、前記顧客と管理者が分配する金額を含む情報を前記管理者が管理する情報機器に提供し、
前記管理者が管理する情報機器の制御のもとでは、
前記顧客と管理者が分配する金額を含む情報を取得することを特徴とする電力消費量の削減高分配方法。
【請求項４】
前記管理者が管理する情報機器と通信ネットワークを介して接続された顧客が管理する情報機器を有し、
前記管理者が管理する情報機器の制御のもとでは、
前記顧客と管理者が分配する金額を含む情報を前記顧客が管理する情報機器に通知することを特徴とする請求項３に記載の電力消費量の削減高分配方法。
【請求項５】
顧客の電力消費装置に接続し、前記電力消費装置が消費する電力消費量を削減制御する顧客に貸与した制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、
前記サーバは、
前記電力消費量の削減高に関する情報を前記第１情報機器から取得する削減高情報取得手段（サ）と、
前記削減高情報取得手段（サ）が取得した電力消費量の削減高に関する情報をもとに、電力消費量の削減高を顧客と管理者が分配する金額を、あらかじめ決められた分配比率に基づき算出する分配金額算出手段（サ）と、
前記分配金額算出手段（サ）が算出した顧客と管理者が分配する金額を含む情報の提供要請を、前記管理者が管理する情報機器から受け付ける分配金額情報提供要請受付手段と、
前記分配金額算出手段（サ）が算出した顧客と管理者が分配する金額を含む情報を前記管理者が管理する情報機器に提供する分配金額情報提供手段を備え、
前記管理者が管理する情報機器は、
前記サーバに対し、前記分配金額算出手段（サ）が算出した顧客と管理者が分配する金額を含む情報の提供を要請する分配金額情報提供要請手段と、
前記分配金額算出手段（サ）が算出した顧客と管理者が分配する金額を含む情報を取得する分配金額情報取得手段を備えていることを特徴とする電力消費量の削減高分配システム。
【請求項６】
前記管理者が管理する情報機器と通信ネットワークを介して接続された顧客が管理する情報機器を有し、
前記管理者が管理する情報機器は、
前記分配金額情報取得手段が取得した顧客と管理者が分配する金額を含む情報を、前記顧客が管理する情報機器に通知する分配金額情報通知手段を備えていることを特徴とする請求項５に記載の電力消費量の削減高分配システム。
【請求項７】
第１情報機器及び管理者が管理する情報機器のそれぞれに通信通信ネットワークを介して通信可能なサーバであって、
顧客の電力消費装置に接続し、前記電力消費装置が消費する電力消費量を削減制御する顧客に貸与した制御装置が削減制御した電力消費量の削減高に関する情報を、前記第１情報機器から取得する削減高情報取得手段（サ）と、
前記削減高情報取得手段（サ）が取得した電力消費量の削減高に関する情報をもとに、電力消費量の削減高を顧客と管理者が分配する金額を、あらかじめ決められた分配比率に基づき算出する分配金額算出手段（サ）と、
前記分配金額算出手段（サ）が算出した顧客と管理者が分配する金額を含む情報の提供要請を、前記管理者が管理する情報機器から受け付ける分配金額情報提供要請受付手段と、
前記分配金額算出手段（サ）が算出した顧客と管理者が分配する金額を含む情報を前記管理者が管理する情報機器に提供する分配金額情報提供手段とを備えたサーバ。
【請求項８】
第１情報機器及び管理者が管理する情報機器のそれぞれに通信通信ネットワークを介して通信可能なコンピュータを、
顧客の電力消費装置に接続し、前記電力消費装置が消費する電力消費量を削減制御する顧客に貸与した制御装置が削減制御した電力消費量の削減高に関する情報を、前記第１情報機器から取得する削減高情報取得手段（サ）と、
前記削減高情報取得手段（サ）が取得した電力消費量の削減高に関する情報をもとに、電力消費量の削減高を顧客と管理者が分配する金額を、あらかじめ決められた分配比率に基づき算出する分配金額算出手段（サ）と、
前記分配金額算出手段（サ）が算出した顧客と管理者が分配する金額を含む情報の提供要請を、前記管理者が管理する情報機器から受け付ける分配金額情報提供要請受付手段と、
前記分配金額算出手段（サ）が算出した顧客と管理者が分配する金額を含む情報を前記管理者が管理する情報機器に提供する分配金額情報提供手段、として機能させるための電力消費量の削減高分配システムのためのプログラム。
【請求項９】
顧客の電力消費装置に接続し、前記電力消費装置が消費する電力消費量を削減制御する顧客に貸与した制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、
前記サーバの制御のもとでは、
前記第１情報機器が取得した電力消費量の削減高に関する情報を取得し、
前記管理者が管理する情報機器の制御のもとでは、
前記サーバに対し、前記電力消費量の削減高に関する情報の提供を要請し、
前記サーバの制御のもとでは、
前記管理者が管理する情報機器からの要請を受け付けて、前記電力消費量の削減高に関する情報を前記管理者が管理する情報機器に提供し、
前記管理者が管理する情報機器の制御のもとでは、
前記電力消費量の削減高に関する情報を取得し、取得した電力消費量の削減高に関する情報をもとに、電力消費量の削減高を顧客と管理者が分配する金額をあらかじめ決められた分配比率に基づき算出することを特徴とする電力消費量の削減高分配方法。
【請求項１０】
前記管理者が管理する情報機器と通信ネットワークを介して接続された顧客が管理する情報機器を有し、
前記管理者が管理する情報機器の制御のもとでは、
前記顧客と管理者が分配する金額を含む情報を前記顧客が管理する情報機器に通知することを特徴とする請求項９に記載の電力消費量の削減高分配方法。
【請求項１１】
顧客の電力消費装置に接続し、前記電力消費装置が消費する電力消費量を削減制御する顧客に貸与した制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、
前記サーバは、
前記電力消費量の削減高に関する情報を前記第１情報機器から取得する削減高情報取得手段（サ）と、
前記削減高情報取得手段（サ）が取得した電力消費量の削減高に関する情報の提供要請を、前記管理者が管理する情報機器から受け付ける削減高情報提供要請受付手段と、
前記削減高情報取得手段（サ）が取得した電力消費量の削減高に関する情報を、前記管理者が管理する情報機器に提供する削減高情報提供手段を備え、
前記管理者が管理する情報機器は、
前記サーバに対し、前記削減高情報取得手段（サ）が取得した電力消費量の削減高に関する情報の提供を要請する削減高情報提供要請手段と、
前記電力消費量の削減高に関する情報を前記サーバから取得する削減高情報取得手段（管）と、
前記削減高情報取得手段（管）が取得した電力消費量の削減高に関する情報をもとに、電力消費量の削減高を顧客と管理者が分配する金額を、あらかじめ決められた分配比率に基づき算出する分配金額算出手段（管）を備えていることを特徴とする電力消費量の削減高分配システム。
【請求項１２】
前記管理者が管理する情報機器と通信ネットワークを介して接続された顧客が管理する情報機器を有し、
前記管理者が管理する情報機器は、
前記分配金額算出手段（管）が算出した顧客と管理者が分配する金額を含む情報を、前記顧客が管理する情報機器に通知する分配金額情報通知手段を備えていることを特徴とする請求項１１に記載の電力消費量の削減高分配システム。
【請求項１３】
通信通信ネットワークを介して第１情報機器と通信可能なサーバに通信通信ネットワークを介して接続された管理者が管理する情報機器において、
前記サーバが前記第１情報機器から取得した情報、すなわち顧客の電力消費装置に接続し、前記電力消費装置が消費する電力消費量を削減制御する顧客に貸与した制御装置が削減制御した電力消費量の削減高に関する情報を取得する削減高情報取得手段（管）を備えていることを特徴とする管理者が管理する情報機器。
【請求項１４】
前記削減高情報取得手段（管）が取得した電力消費量の削減高に関する情報をもとに、電力消費量の削減高を顧客と管理者が分配する金額を、あらかじめ決められた分配比率に基づき算出する分配金額算出手段（管）を備えていることを特徴とする請求項１３に記載の管理者が管理する情報機器。
【請求項１５】
前記管理者が管理する情報機器と通信ネットワークを介して接続された顧客が管理する情報機器を有し、
前記分配金額算出手段（管）が算出した顧客と管理者が分配する金額を含む情報を、前記顧客が管理する情報機器に通知する分配金額情報通知手段を備えていることを特徴とする請求項１４に記載の管理者が管理する情報機器。
【請求項１６】
電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバは、前記第１情報機器が取得した電力消費量の積算値に関する情報を取得するとともに、前記取得した電力消費量の積算値に関する情報を前記管理者が管理する情報機器に提供することを特徴とする電力消費量の削減高管理システム。
【請求項１７】
電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバの制御のもとでは、
前記第１情報機器が取得した電力消費量の積算値に関する情報を取得し、
前記管理者が管理する情報機器の制御のもとでは、
前記サーバに対し、前記電力消費量の積算値に関する情報の提供を要請し、
前記サーバの制御のもとでは、
前記管理者が管理する情報機器からの要請を受け付けて、前記取得した電力消費量の積算値に関する情報を前記管理者が管理する情報機器に提供し、
前記管理者が管理する情報機器の制御のもとでは、
前記電力消費量の積算値に関する情報を取得するものであって、
前記電力消費量を削減制御する制御装置は管理者が顧客に貸与し、前記電力消費量の積算値に関する情報をもとに決定した電力消費量の削減高を、あらかじめ決められた分配比率に基づき顧客と管理者が分配することを特徴とする電力消費量の削減高分配方法。
【請求項１８】
電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバは、前記第１情報機器が取得した電力消費量の積算値に関する情報を取得し、取得した電力消費量の積算値に関する情報をもとに電力消費量の削減高を決定するとともに、前記決定した電力消費量の削減高に関する情報を前記管理者が管理する情報機器に提供することを特徴とする電力消費量の削減高管理システム。
【請求項１９】
電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバの制御のもとでは、
前記第１情報機器が取得した電力消費量の積算値に関する情報を取得し、取得した電力消費量の積算値に関する情報をもとに電力消費量の削減高を決定し、
前記管理者が管理する情報機器の制御のもとでは、
前記サーバに対し、前記電力消費量の削減高に関する情報の提供を要請し、
前記サーバの制御のもとでは、
前記管理者が管理する情報機器からの要請を受け付けて、前記決定した電力消費量の削減高に関する情報を前記管理者が管理する情報機器に提供し、
前記管理者が管理する情報機器の制御のもとでは、
前記電力消費量の削減高に関する情報を取得するものであって、
前記電力消費量を削減制御する制御装置は管理者が顧客に貸与し、前記電力消費量の削減高に関する情報をもとに求めた電力消費量の削減高を、あらかじめ決められた分配比率に基づき顧客と管理者が分配することを特徴とする電力消費量の削減高分配方法。
【請求項２０】
顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバの制御のもとでは、
前記電力消費量の積算値に関する情報を前記第１情報機器から取得し、取得した電力消費量の積算値に関する情報をもとに電力消費量の削減高を決定し、決定した電力消費量の削減高を顧客と管理者が分配する金額を、あらかじめ決められた分配比率に基づき算出し、
前記管理者が管理する情報機器の制御のもとでは、
前記サーバに対し、前記算出した顧客と管理者が分配する金額を含む情報の提供を要請し、
前記サーバの制御のもとでは、
前記管理者が管理する情報機器からの要請を受け付けて、前記顧客と管理者が分配する金額を含む情報を前記管理者が管理する情報機器に提供し、
前記管理者が管理する情報機器の制御のもとでは、
前記顧客と管理者が分配する金額を含む情報を取得することを特徴とする電力消費量の削減高分配方法。
【請求項２１】
前記管理者が管理する情報機器と通信ネットワークを介して接続された顧客が管理する情報機器を有し、
前記管理者が管理する情報機器の制御のもとでは、
前記顧客と管理者が分配する金額を含む情報を前記顧客が管理する情報機器に通知することを特徴とする請求項２０に記載の電力消費量の削減高分配方法。
【請求項２２】
顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバは、
前記電力消費量の積算値に関する情報を前記第１情報機器から取得する積算値情報取得手段（サ）と、
前記積算値情報取得手段（サ）が取得した電力消費量の積算値に関する情報をもとに電力消費量の削減高を決定する削減高決定手段（サ）と、
前記削減高決定手段（サ）が決定した電力消費量の削減高を顧客と管理者が分配する金額を、あらかじめ決められた分配比率に基づき算出する分配金額算出手段（サ）と、
前記分配金額算出手段（サ）が算出した顧客と管理者が分配する金額を含む情報の提供要請を、前記管理者が管理する情報機器から受け付ける分配金額情報提供要請受付手段と、
前記分配金額算出手段（サ）が算出した顧客と管理者が分配する金額を含む情報を前記管理者が管理する情報機器に提供する分配金額情報提供手段を備え、
前記管理者が管理する情報機器は、
前記サーバに対し、前記分配金額算出手段（サ）が算出した顧客と管理者が分配する金額を含む情報の提供を要請する分配金額情報提供要請手段と、
前記分配金額算出手段（サ）が算出した顧客と管理者が分配する金額を含む情報を取得する分配金額情報取得手段を備えていることを特徴とする電力消費量の削減高分配システム。
【請求項２３】
前記管理者が管理する情報機器と通信ネットワークを介して接続された顧客が管理する情報機器を有し、
前記管理者が管理する情報機器は、
前記分配金額情報取得手段が取得した顧客と管理者が分配する金額を含む情報を、前記顧客が管理する情報機器に通知する分配金額情報通知手段を備えていることを特徴とする請求項２２に記載の電力消費量の削減高分配システム。
【請求項２４】
第１情報機器及び管理者が管理する情報機器のそれぞれに通信通信ネットワークを介して通信可能なサーバであって、
前記第１情報機器が配電盤に設置した積算電力計から取得した、顧客に貸与した電力消費量を削減制御する制御装置により制御された電力消費装置が消費する電力消費量の積算値に関する情報を、前記第１情報機器から取得する積算値情報取得手段（サ）と、
前記積算値情報取得手段（サ）が取得した電力消費量の積算値に関する情報をもとに電力消費量の削減高を決定する削減高決定手段（サ）と、
前記削減高決定手段（サ）が決定した電力消費量の削減高を顧客と管理者が分配する金額を、あらかじめ決められた分配比率に基づき算出する分配金額算出手段（サ）と、
前記分配金額算出手段（サ）が算出した顧客と管理者が分配する金額を含む情報の提供要請を、前記管理者が管理する情報機器から受け付ける分配金額情報提供要請受付手段と、
前記分配金額算出手段（サ）が算出した顧客と管理者が分配する金額を含む情報を前記管理者が管理する情報機器に提供する分配金額情報提供手段とを備えたサーバ。
【請求項２５】
第１情報機器及び管理者が管理する情報機器のそれぞれに通信通信ネットワークを介して通信可能なコンピュータを、
前記第１情報機器が配電盤に設置した積算電力計から取得した、顧客に貸与した電力消費量を削減制御する制御装置により制御された電力消費装置が消費する電力消費量の積算値に関する情報を、前記第１情報機器から取得する積算値情報取得手段（サ）と、
前記積算値情報取得手段（サ）が取得した電力消費量の積算値に関する情報をもとに電力消費量の削減高を決定する削減高決定手段（サ）と、
前記削減高決定手段（サ）が決定した電力消費量の削減高を顧客と管理者が分配する金額を、あらかじめ決められた分配比率に基づき算出する分配金額算出手段（サ）と、
前記分配金額算出手段（サ）が算出した顧客と管理者が分配する金額を含む情報の提供要請を、前記管理者が管理する情報機器から受け付ける分配金額情報提供要請受付手段と、
前記分配金額算出手段（サ）が算出した顧客と管理者が分配する金額を含む情報を前記管理者が管理する情報機器に提供する分配金額情報提供手段、として機能させるための電力消費量の削減高分配システムのためのプログラム。
【請求項２６】
顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバの制御のもとでは、
前記第１情報機器が取得した電力消費量の積算値に関する情報を取得し、
前記管理者が管理する情報機器の制御のもとでは、
前記サーバに対し、前記電力消費量の積算値に関する情報の提供を要請し、
前記サーバの制御のもとでは、
前記管理者が管理する情報機器からの要請を受け付けて、前記電力消費量の積算値に関する情報を前記管理者が管理する情報機器に提供し、
前記管理者が管理する情報機器の制御のもとでは、
前記電力消費量の積算値に関する情報を取得し、取得した電力消費量の積算値に関する情報をもとに電力消費量の削減高を決定し、決定した電力消費量の削減高を顧客と管理者が分配する金額を、あらかじめ決められた分配比率に基づき算出することを特徴とする電力消費量の削減高分配方法。
【請求項２７】
前記管理者が管理する情報機器と通信ネットワークを介して接続された顧客が管理する情報機器を有し、
前記管理者が管理する情報機器の制御のもとでは、
前記顧客と管理者が分配する金額を含む情報を前記顧客が管理する情報機器に通知することを特徴とする請求項２６に記載の電力消費量の削減高分配方法。
【請求項２８】
顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバは、
前記第１情報機器が取得した電力消費量の積算値に関する情報を取得する積算値情報取得手段（サ）と、
前記積算値情報取得手段（サ）が取得した電力消費量の積算値に関する情報の提供要請を、前記管理者が管理する情報機器から受け付ける積算値情報提供要請受付手段と、
前記積算値情報取得手段（サ）が取得した電力消費量の積算値に関する情報を前記管理者が管理する情報機器に提供する積算値情報提供手段を備え、
前記管理者が管理する情報機器は、
前記サーバに対し、前記積算値情報取得手段（サ）が取得した電力消費量の積算値に関する情報の提供を要請する積算値情報提供要請手段と、
前記電力消費量の積算値に関する情報を前記サーバから取得する積算値情報取得手段（管）と、
前記積算値情報取得手段（管）が取得した電力消費量の積算値に関する情報をもとに電力消費量の削減高を決定する削減高決定手段（管）と、
前記削減高決定手段（管）が決定した電力消費量の削減高を顧客と管理者が分配する金額を、あらかじめ決められた分配比率に基づき算出する分配金額算出手段（管）を備えていることを特徴とする電力消費量の削減高分配システム。
【請求項２９】
前記管理者が管理する情報機器と通信ネットワークを介して接続された顧客が管理する情報機器を有し、
前記管理者が管理する情報機器は、
前記分配金額算出手段（管）が算出した顧客と管理者が分配する金額を含む情報を、前記顧客が管理する情報機器に通知する分配金額情報通知手段を備えていることを特徴とする請求項２８に記載の電力消費量の削減高分配システム。
【請求項３０】
通信通信ネットワークを介して第１情報機器と通信可能なサーバに通信通信ネットワークを介して接続された管理者が管理する情報機器において、
前記サーバが前記第１情報機器から取得した情報、すなわち配電盤に設置した積算電力計から前記第１情報機器が取得した、顧客に貸与した電力消費量を削減制御する制御装置により制御された電力消費装置が消費する電力消費量の積算値に関する情報、を取得する積算値情報取得手段（管）を備えていることを特徴とする管理者が管理する情報機器。
【請求項３１】
前記積算値情報取得手段（管）が取得した電力消費量の積算値に関する情報をもとに電力消費量の削減高を決定する削減高決定手段（管）と、
前記削減高決定手段（管）が決定した電力消費量の削減高を顧客と管理者が分配する金額を、あらかじめ決められた分配比率に基づき算出する分配金額算出手段（管）を備えていることを特徴とする請求項３０に記載の管理者が管理する情報機器。
【請求項３２】
前記管理者が管理する情報機器と通信ネットワークを介して接続された顧客が管理する情報機器を有し、
前記分配金額算出手段（管）が算出した顧客と管理者が分配する金額を含む情報を、前記顧客が管理する情報機器に通知する分配金額情報通知手段を備えていることを特徴とする請求項３１に記載の管理者が管理する情報機器。
【請求項３３】
顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバの制御のもとでは、
前記第１情報機器が取得した電力消費量の積算値に関する情報を取得し、取得した電力消費量の積算値に関する情報をもとに電力消費量の削減高を決定し、
前記管理者が管理する情報機器の制御のもとでは、
前記サーバに対し、前記電力消費量の削減高に関する情報の提供を要請し、
前記サーバの制御のもとでは、
前記管理者が管理する情報機器からの要請を受け付けて、前記決定した電力消費量の削減高に関する情報を前記管理者が管理する情報機器に提供し、
前記管理者が管理する情報機器の制御のもとでは、
前記電力消費量の削減高に関する情報を取得し、取得した電力消費量の削減高を顧客と管理者が分配する金額を、あらかじめ決められた分配比率に基づき算出することを特徴とする電力消費量の削減高分配方法。
【請求項３４】
前記管理者が管理する情報機器と通信ネットワークを介して接続された顧客が管理する情報機器を有し、
前記管理者が管理する情報機器の制御のもとでは、
前記算出した顧客と管理者が分配する金額を含む情報を前記顧客が管理する情報機器に通知することを特徴とする請求項３３に記載の電力消費量の削減高分配方法。
【請求項３５】
顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバは、
前記第１情報機器が取得した電力消費量の積算値に関する情報を取得する積算値情報取得手段（サ）と、
前記積算値情報取得手段（サ）が取得した電力消費量の積算値に関する情報をもとに電力消費量の削減高を決定する削減高決定手段（サ）と、
前記削減高決定手段（サ）が決定した電力消費量の削減高に関する情報の提供要請を、前記管理者が管理する情報機器から受け付ける削減高情報提供要請受付手段と、
前記削減高決定手段（サ）が決定した電力消費量の削減高に関する情報を前記管理者が管理する情報機器に提供する削減高情報提供手段を備え、
前記管理者が管理する情報機器は、
前記サーバに対し、前記削減高決定手段（サ）が決定した電力消費量の削減高に関する情報の提供を要請する削減高情報提供要請手段と、
前記電力消費量の削減高に関する情報を前記サーバから取得する削減高情報取得手段（管）と、
前記削減高情報取得手段（管）が取得した電力消費量の削減高を顧客と管理者が分配する金額を、あらかじめ決められた分配比率に基づき算出する分配金額算出手段（管）を備えていることを特徴とする電力消費量の削減高分配システム。
【請求項３６】
前記管理者が管理する情報機器と通信ネットワークを介して接続された顧客が管理する情報機器を有し、
前記管理者が管理する情報機器は、
前記分配金額算出手段（管）が算出した顧客と管理者が分配する金額を含む情報を、前記顧客が管理する情報機器に通知する分配金額情報通知手段を備えていることを特徴とする請求項３５に記載の電力消費量の削減高分配システム。
【請求項３７】
前記電力消費装置が蛍光灯であることを特徴とする請求項１６に記載の電力消費量の削減高管理システム。
【請求項３８】
前記電力消費装置が蛍光灯であることを特徴とする請求項１７、１８、１９、２０、２１、２６、２７、３３又は３４に記載の電力消費量の削減高分配方法。
【請求項３９】
前記電力消費装置が蛍光灯であることを特徴とする請求項２２、２３、２８、２９、３５又は３６に記載の電力消費量の削減高分配システム。
【請求項４０】
前記電力消費装置が蛍光灯であることを特徴とする請求項２４に記載のサーバ。
【請求項４１】
前記電力消費装置が蛍光灯であることを特徴とする請求項２５に記載の電力消費量の削減高分配システムのためのプログラム。
【請求項４２】
前記電力消費装置が蛍光灯であることを特徴とする請求項３０、３１又は３２に記載の管理者が管理する情報機器。
【発明の詳細な説明】
【技術分野】
【０００１】
本発明は、電力消費量の削減高管理システム並びに電力消費量の削減高分配方法、削減高分配システム、及びそのためのプログラム、並びに情報機器及びサーバに関しする。
【背景技術】
【０００２】
消費電力を削減し、省エネルギー化を達成することは地球温暖化対策に大いに貢献するばかりでなく、コスト削減にも寄与し得る。空調設備、冷凍設備、冷蔵設備、冷却設備、原動機設備、照明設備等の電力消費装置に対する消費電力を削減し、コスト削減することは数多く提案されている。
【０００３】
例えば、消費電力の総合的省エネルギー化を達成することを目的とした、空調設備、冷凍設備、原動機設備及び照明設備に関する時間差制御によって順位制御を行うように設定したリレー・タイマー盤を備えて成る節電制御盤をデマンド制御装置に接続して消費電力のスケジュール制御とピークカット制御を行うことにより消費電力及び契約電力を低減するようにした節電制御装置（特許文献１参照）、冷蔵庫などに設ける冷却装置における冷却器用電動機が連続運転しないように制御することにより、電力消費を少なくし、節電すると共に、冷却器用電動機の運転時間が少なくなり、冷却器用電動機の寿命の信頼性を高める制御装置（特許文献２参照）、空調設備、冷凍設備、原動機設備、照明設備等の複数の電力消費装置において消費される総合的な電力の削減、総合的な省エネルギー化の達成を図ることを目的に、デマンド制御装置からの信号を受けて、前記複数の電力消費装置への電力の供給を順位づけて制御するリレーと、あらかじめ定められている時間ごとに前記複数の電力消費装置への電力の供給を制御するタイマーとを備えている節電制御装置（特許文献３参照）、業務用冷温蔵庫から物を取り出す人の動きを人体感知センサーで感知しプログラム化されたマイクロコンピュータの庫内温度管理で、最適温度に自動制御を行い、電力通電を最小限化する業務用冷温蔵庫の節電装置（特許文献４参照）、等が提案されている。
【０００４】
また、株式会社ライトシステムパートナーからは、エコプラン（登録商標）という商品名の制御装置を用いた業務用エアコン・冷凍・冷蔵庫用の消費電力削減システムが提案されている（非特許文献１参照）。
【特許文献１】特開２００１−１９７６６１号公報
【特許文献２】特開平１１−２５７８２１号公報
【特許文献３】特開２００３−２３７２９号公報
【特許文献４】実用新案登録第３０７７３０８号公報
【非特許文献１】ｈｔｔｐ：／／ｗｗｗ．ｓｙｓｔｅｍ−ｐａｒｔｎｅｒ．ｃｏ．ｊｐ／ｉｎｄｅｘ０１．ｈｔｍｌ
【発明の開示】
【発明が解決しようとする課題】
【０００５】
消費電力削減システムを導入することにより、将来的に消費電力コストの削減ができることは企業にとってはメリットが大きい。しかしながら、消費電力削減システムの導入に当たっては、次のような課題がある。消費電力削減システムの導入による消費電力コストの削減効果、すなわち、消費電力削減システム導入のための投資額が、消費電力コストの削減高を上回るまでには数年〜５年、使用条件によっては５年〜１０年を超える場合もある。また、消費電力削減システムの導入コストを回収できないリスクを懸念し、消費電力削減システムの導入を見送るケースも起こりうる。
【０００６】
本発明者らは上記課題に鑑み、お客様にとって消費電力削減システムの導入コストを回収できないリスクを最小にすることにより、多くのお客様に消費電力削減システムを導入して頂けるような新規なビジネスモデルを開発した。
【０００７】
本発明の目的は、消費電力削減システムを導入するお客様にとっては、リスクミニマムで消費電力削減システムを導入することが可能となり、消費電力削減システムを販売する企業にとっても収益が期待できる、電力消費量の削減高管理システム並びに電力消費量の削減高分配方法及び電力消費量の削減高分配システム等を提供することにある。
【課題を解決するための手段】
【０００８】
本発明の目的は次の手段により達成することができる。
【０００９】
（請求項１）  電力消費装置に接続し、前記電力消費装置が消費する電力消費量を削減制御する制御装置と、
前記制御装置が削減制御した電力消費量の削減高に関する情報を取得する第１情報機器と、
前記第１情報機器と通信ネットワークを介して接続されたサーバと、
前記サーバと通信ネットワークを介して接続された管理者が管理する情報機器とを有し、
前記サーバは、前記電力消費量の削減高に関する情報を前記第１情報機器から取得するとともに、取得した電力消費量の削減高に関する情報を前記管理者が管理する情報機器に提供することを特徴とする電力消費量の削減高管理システム。
【００１０】
（請求項２）  顧客の電力消費装置に接続し、前記電力消費装置が消費する電力消費量を削減制御する制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、
前記サーバの制御のもとでは、
前記電力消費量の削減高に関する情報を前記第１情報機器から取得し、
前記管理者が管理する情報機器の制御のもとでは、
前記サーバに対し、前記電力消費量の削減高に関する情報の提供を要請し、
前記サーバの制御のもとでは、
前記管理者が管理する情報機器からの要請を受け付けて、前記取得した電力消費量の削減高に関する情報を前記管理者が管理する情報機器に提供し、
前記管理者が管理する情報機器の制御のもとでは、
前記電力消費量の削減高に関する情報を取得するものであって、
前記制御装置は管理者が顧客に貸与し、前記電力消費量の削減高に関する情報をもとに求めた電力消費量の削減高を、あらかじめ決められた分配比率に基づき顧客と管理者が分配することを特徴とする電力消費量の削減高分配方法。
【００１１】
（請求項３）  顧客の電力消費装置に接続し、前記電力消費装置が消費する電力消費量を削減制御する顧客に貸与した制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、
前記サーバの制御のもとでは、
前記電力消費量の削減高に関する情報を前記第１情報機器から取得し、取得した電力消費量の削減高に関する情報をもとに、電力消費量の削減高を顧客と管理者が分配する金額を、あらかじめ決められた分配比率に基づき算出し、
前記管理者が管理する情報機器の制御のもとでは、
前記サーバに対し、前記顧客と管理者が分配する金額を含む情報の提供を要請し、
前記サーバの制御のもとでは、
前記管理者が管理する情報機器からの要請を受け付けて、前記顧客と管理者が分配する金額を含む情報を前記管理者が管理する情報機器に提供し、
前記管理者が管理する情報機器の制御のもとでは、
前記顧客と管理者が分配する金額を含む情報を取得することを特徴とする電力消費量の削減高分配方法。
【００１２】
（請求項４）  前記管理者が管理する情報機器と通信ネットワークを介して接続された顧客が管理する情報機器を有し、
前記管理者が管理する情報機器の制御のもとでは、
前記顧客と管理者が分配する金額を含む情報を前記顧客が管理する情報機器に通知することを特徴とする請求項３に記載の電力消費量の削減高分配方法。
【００１３】
（請求項５）  顧客の電力消費装置に接続し、前記電力消費装置が消費する電力消費量を削減制御する顧客に貸与した制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、
前記サーバは、
前記電力消費量の削減高に関する情報を前記第１情報機器から取得する削減高情報取得手段（サ）と、
前記削減高情報取得手段（サ）が取得した電力消費量の削減高に関する情報をもとに、電力消費量の削減高を顧客と管理者が分配する金額を、あらかじめ決められた分配比率に基づき算出する分配金額算出手段（サ）と、
前記分配金額算出手段（サ）が算出した顧客と管理者が分配する金額を含む情報の提供要請を、前記管理者が管理する情報機器から受け付ける分配金額情報提供要請受付手段と、
前記分配金額算出手段（サ）が算出した顧客と管理者が分配する金額を含む情報を前記管理者が管理する情報機器に提供する分配金額情報提供手段を備え、
前記管理者が管理する情報機器は、
前記サーバに対し、前記分配金額算出手段（サ）が算出した顧客と管理者が分配する金額を含む情報の提供を要請する分配金額情報提供要請手段と、
前記分配金額算出手段（サ）が算出した顧客と管理者が分配する金額を含む情報を取得する分配金額情報取得手段を備えていることを特徴とする電力消費量の削減高分配システム。
【００１４】
（請求項６）  前記管理者が管理する情報機器と通信ネットワークを介して接続された顧客が管理する情報機器を有し、
前記管理者が管理する情報機器は、
前記分配金額情報取得手段が取得した顧客と管理者が分配する金額を含む情報を、前記顧客が管理する情報機器に通知する分配金額情報通知手段を備えていることを特徴とする請求項５に記載の電力消費量の削減高分配システム。
【００１５】
（請求項７）  第１情報機器及び管理者が管理する情報機器のそれぞれに通信通信ネットワークを介して通信可能なサーバであって、
顧客の電力消費装置に接続し、前記電力消費装置が消費する電力消費量を削減制御する顧客に貸与した制御装置が削減制御した電力消費量の削減高に関する情報を、前記第１情報機器から取得する削減高情報取得手段（サ）と、
前記削減高情報取得手段（サ）が取得した電力消費量の削減高に関する情報をもとに、電力消費量の削減高を顧客と管理者が分配する金額を、あらかじめ決められた分配比率に基づき算出する分配金額算出手段（サ）と、
前記分配金額算出手段（サ）が算出した顧客と管理者が分配する金額を含む情報の提供要請を、前記管理者が管理する情報機器から受け付ける分配金額情報提供要請受付手段と、
前記分配金額算出手段（サ）が算出した顧客と管理者が分配する金額を含む情報を前記管理者が管理する情報機器に提供する分配金額情報提供手段とを備えたサーバ。
【００１６】
（請求項８）  第１情報機器及び管理者が管理する情報機器のそれぞれに通信通信ネットワークを介して通信可能なコンピュータを、
顧客の電力消費装置に接続し、前記電力消費装置が消費する電力消費量を削減制御する顧客に貸与した制御装置が削減制御した電力消費量の削減高に関する情報を、前記第１情報機器から取得する削減高情報取得手段（サ）と、
前記削減高情報取得手段（サ）が取得した電力消費量の削減高に関する情報をもとに、電力消費量の削減高を顧客と管理者が分配する金額を、あらかじめ決められた分配比率に基づき算出する分配金額算出手段（サ）と、
前記分配金額算出手段（サ）が算出した顧客と管理者が分配する金額を含む情報の提供要請を、前記管理者が管理する情報機器から受け付ける分配金額情報提供要請受付手段と、
前記分配金額算出手段（サ）が算出した顧客と管理者が分配する金額を含む情報を前記管理者が管理する情報機器に提供する分配金額情報提供手段、として機能させるための電力消費量の削減高分配システムのためのプログラム。
【００１７】
（請求項９）  顧客の電力消費装置に接続し、前記電力消費装置が消費する電力消費量を削減制御する顧客に貸与した制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、
前記サーバの制御のもとでは、
前記第１情報機器が取得した電力消費量の削減高に関する情報を取得し、
前記管理者が管理する情報機器の制御のもとでは、
前記サーバに対し、前記電力消費量の削減高に関する情報の提供を要請し、
前記サーバの制御のもとでは、
前記管理者が管理する情報機器からの要請を受け付けて、前記電力消費量の削減高に関する情報を前記管理者が管理する情報機器に提供し、
前記管理者が管理する情報機器の制御のもとでは、
前記電力消費量の削減高に関する情報を取得し、取得した電力消費量の削減高に関する情報をもとに、電力消費量の削減高を顧客と管理者が分配する金額をあらかじめ決められた分配比率に基づき算出することを特徴とする電力消費量の削減高分配方法。
【００１８】
（請求項１０）  前記管理者が管理する情報機器と通信ネットワークを介して接続された顧客が管理する情報機器を有し、
前記管理者が管理する情報機器の制御のもとでは、
前記顧客と管理者が分配する金額を含む情報を前記顧客が管理する情報機器に通知することを特徴とする請求項９に記載の電力消費量の削減高分配方法。
【００１９】
（請求項１１）  顧客の電力消費装置に接続し、前記電力消費装置が消費する電力消費量を削減制御する顧客に貸与した制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、
前記サーバは、
前記電力消費量の削減高に関する情報を前記第１情報機器から取得する削減高情報取得手段（サ）と、
前記削減高情報取得手段（サ）が取得した電力消費量の削減高に関する情報の提供要請を、前記管理者が管理する情報機器から受け付ける削減高情報提供要請受付手段と、
前記削減高情報取得手段（サ）が取得した電力消費量の削減高に関する情報を、前記管理者が管理する情報機器に提供する削減高情報提供手段を備え、
前記管理者が管理する情報機器は、
前記サーバに対し、前記削減高情報取得手段（サ）が取得した電力消費量の削減高に関する情報の提供を要請する削減高情報提供要請手段と、
前記電力消費量の削減高に関する情報を前記サーバから取得する削減高情報取得手段（管）と、
前記削減高情報取得手段（管）が取得した電力消費量の削減高に関する情報をもとに、電力消費量の削減高を顧客と管理者が分配する金額を、あらかじめ決められた分配比率に基づき算出する分配金額算出手段（管）を備えていることを特徴とする電力消費量の削減高分配システム。
【００２０】
（請求項１２）  前記管理者が管理する情報機器と通信ネットワークを介して接続された顧客が管理する情報機器を有し、
前記管理者が管理する情報機器は、
前記分配金額算出手段（管）が算出した顧客と管理者が分配する金額を含む情報を、前記顧客が管理する情報機器に通知する分配金額情報通知手段を備えていることを特徴とする請求項１１に記載の電力消費量の削減高分配システム。
【００２１】
（請求項１３）  通信通信ネットワークを介して第１情報機器と通信可能なサーバに通信通信ネットワークを介して接続された管理者が管理する情報機器において、
前記サーバが前記第１情報機器から取得した情報、すなわち顧客の電力消費装置に接続し、前記電力消費装置が消費する電力消費量を削減制御する顧客に貸与した制御装置が削減制御した電力消費量の削減高に関する情報を取得する削減高情報取得手段（管）を備えていることを特徴とする管理者が管理する情報機器。
【００２２】
（請求項１４）  前記削減高情報取得手段（管）が取得した電力消費量の削減高に関する情報をもとに、電力消費量の削減高を顧客と管理者が分配する金額を、あらかじめ決められた分配比率に基づき算出する分配金額算出手段（管）を備えていることを特徴とする請求項１３に記載の管理者が管理する情報機器。
【００２３】
（請求項１５）  前記管理者が管理する情報機器と通信ネットワークを介して接続された顧客が管理する情報機器を有し、
前記分配金額算出手段（管）が算出した顧客と管理者が分配する金額を含む情報を、前記顧客が管理する情報機器に通知する分配金額情報通知手段を備えていることを特徴とする請求項１４に記載の管理者が管理する情報機器。
【００２４】
（請求項１６）  電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバは、前記第１情報機器が取得した電力消費量の積算値に関する情報を取得するとともに、前記取得した電力消費量の積算値に関する情報を前記管理者が管理する情報機器に提供することを特徴とする電力消費量の削減高管理システム。
【００２５】
（請求項１７）  電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバの制御のもとでは、
前記第１情報機器が取得した電力消費量の積算値に関する情報を取得し、
前記管理者が管理する情報機器の制御のもとでは、
前記サーバに対し、前記電力消費量の積算値に関する情報の提供を要請し、
前記サーバの制御のもとでは、
前記管理者が管理する情報機器からの要請を受け付けて、前記取得した電力消費量の積算値に関する情報を前記管理者が管理する情報機器に提供し、
前記管理者が管理する情報機器の制御のもとでは、
前記電力消費量の積算値に関する情報を取得するものであって、
前記電力消費量を削減制御する制御装置は管理者が顧客に貸与し、前記電力消費量の積算値に関する情報をもとに決定した電力消費量の削減高を、あらかじめ決められた分配比率に基づき顧客と管理者が分配することを特徴とする電力消費量の削減高分配方法。
【００２６】
（請求項１８）  電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバは、前記第１情報機器が取得した電力消費量の積算値に関する情報を取得し、取得した電力消費量の積算値に関する情報をもとに電力消費量の削減高を決定するとともに、前記決定した電力消費量の削減高に関する情報を前記管理者が管理する情報機器に提供することを特徴とする電力消費量の削減高管理システム。
【００２７】
（請求項１９）  電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバの制御のもとでは、
前記第１情報機器が取得した電力消費量の積算値に関する情報を取得し、取得した電力消費量の積算値に関する情報をもとに電力消費量の削減高を決定し、
前記管理者が管理する情報機器の制御のもとでは、
前記サーバに対し、前記電力消費量の削減高に関する情報の提供を要請し、
前記サーバの制御のもとでは、
前記管理者が管理する情報機器からの要請を受け付けて、前記決定した電力消費量の削減高に関する情報を前記管理者が管理する情報機器に提供し、
前記管理者が管理する情報機器の制御のもとでは、
前記電力消費量の削減高に関する情報を取得するものであって、
前記電力消費量を削減制御する制御装置は管理者が顧客に貸与し、前記電力消費量の削減高に関する情報をもとに求めた電力消費量の削減高を、あらかじめ決められた分配比率に基づき顧客と管理者が分配することを特徴とする電力消費量の削減高分配方法。
【００２８】
（請求項２０）  顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバの制御のもとでは、
前記電力消費量の積算値に関する情報を前記第１情報機器から取得し、取得した電力消費量の積算値に関する情報をもとに電力消費量の削減高を決定し、決定した電力消費量の削減高を顧客と管理者が分配する金額を、あらかじめ決められた分配比率に基づき算出し、
前記管理者が管理する情報機器の制御のもとでは、
前記サーバに対し、前記算出した顧客と管理者が分配する金額を含む情報の提供を要請し、
前記サーバの制御のもとでは、
前記管理者が管理する情報機器からの要請を受け付けて、前記顧客と管理者が分配する金額を含む情報を前記管理者が管理する情報機器に提供し、
前記管理者が管理する情報機器の制御のもとでは、
前記顧客と管理者が分配する金額を含む情報を取得することを特徴とする電力消費量の削減高分配方法。
【００２９】
（請求項２１）  前記管理者が管理する情報機器と通信ネットワークを介して接続された顧客が管理する情報機器を有し、
前記管理者が管理する情報機器の制御のもとでは、
前記顧客と管理者が分配する金額を含む情報を前記顧客が管理する情報機器に通知することを特徴とする請求項２０に記載の電力消費量の削減高分配方法。
【００３０】
（請求項２２）  顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバは、
前記電力消費量の積算値に関する情報を前記第１情報機器から取得する積算値情報取得手段（サ）と、
前記積算値情報取得手段（サ）が取得した電力消費量の積算値に関する情報をもとに電力消費量の削減高を決定する削減高決定手段（サ）と、
前記削減高決定手段（サ）が決定した電力消費量の削減高を顧客と管理者が分配する金額を、あらかじめ決められた分配比率に基づき算出する分配金額算出手段（サ）と、
前記分配金額算出手段（サ）が算出した顧客と管理者が分配する金額を含む情報の提供要請を、前記管理者が管理する情報機器から受け付ける分配金額情報提供要請受付手段と、
前記分配金額算出手段（サ）が算出した顧客と管理者が分配する金額を含む情報を前記管理者が管理する情報機器に提供する分配金額情報提供手段を備え、
前記管理者が管理する情報機器は、
前記サーバに対し、前記分配金額算出手段（サ）が算出した顧客と管理者が分配する金額を含む情報の提供を要請する分配金額情報提供要請手段と、
前記分配金額算出手段（サ）が算出した顧客と管理者が分配する金額を含む情報を取得する分配金額情報取得手段を備えていることを特徴とする電力消費量の削減高分配システム。
【００３１】
（請求項２３）  前記管理者が管理する情報機器と通信ネットワークを介して接続された顧客が管理する情報機器を有し、
前記管理者が管理する情報機器は、
前記分配金額情報取得手段が取得した顧客と管理者が分配する金額を含む情報を、前記顧客が管理する情報機器に通知する分配金額情報通知手段を備えていることを特徴とする請求項２２に記載の電力消費量の削減高分配システム。
【００３２】
（請求項２４）  第１情報機器及び管理者が管理する情報機器のそれぞれに通信通信ネットワークを介して通信可能なサーバであって、
前記第１情報機器が配電盤に設置した積算電力計から取得した、顧客に貸与した電力消費量を削減制御する制御装置により制御された電力消費装置が消費する電力消費量の積算値に関する情報を、前記第１情報機器から取得する積算値情報取得手段（サ）と、
前記積算値情報取得手段（サ）が取得した電力消費量の積算値に関する情報をもとに電力消費量の削減高を決定する削減高決定手段（サ）と、
前記削減高決定手段（サ）が決定した電力消費量の削減高を顧客と管理者が分配する金額を、あらかじめ決められた分配比率に基づき算出する分配金額算出手段（サ）と、
前記分配金額算出手段（サ）が算出した顧客と管理者が分配する金額を含む情報の提供要請を、前記管理者が管理する情報機器から受け付ける分配金額情報提供要請受付手段と、
前記分配金額算出手段（サ）が算出した顧客と管理者が分配する金額を含む情報を前記管理者が管理する情報機器に提供する分配金額情報提供手段とを備えたサーバ。
【００３３】
（請求項２５）  第１情報機器及び管理者が管理する情報機器のそれぞれに通信通信ネットワークを介して通信可能なコンピュータを、
前記第１情報機器が配電盤に設置した積算電力計から取得した、顧客に貸与した電力消費量を削減制御する制御装置により制御された電力消費装置が消費する電力消費量の積算値に関する情報を、前記第１情報機器から取得する積算値情報取得手段（サ）と、
前記積算値情報取得手段（サ）が取得した電力消費量の積算値に関する情報をもとに電力消費量の削減高を決定する削減高決定手段（サ）と、
前記削減高決定手段（サ）が決定した電力消費量の削減高を顧客と管理者が分配する金額を、あらかじめ決められた分配比率に基づき算出する分配金額算出手段（サ）と、
前記分配金額算出手段（サ）が算出した顧客と管理者が分配する金額を含む情報の提供要請を、前記管理者が管理する情報機器から受け付ける分配金額情報提供要請受付手段と、
前記分配金額算出手段（サ）が算出した顧客と管理者が分配する金額を含む情報を前記管理者が管理する情報機器に提供する分配金額情報提供手段、として機能させるための電力消費量の削減高分配システムのためのプログラム。
【００３４】
（請求項２６）  顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバの制御のもとでは、
前記第１情報機器が取得した電力消費量の積算値に関する情報を取得し、
前記管理者が管理する情報機器の制御のもとでは、
前記サーバに対し、前記電力消費量の積算値に関する情報の提供を要請し、
前記サーバの制御のもとでは、
前記管理者が管理する情報機器からの要請を受け付けて、前記電力消費量の積算値に関する情報を前記管理者が管理する情報機器に提供し、
前記管理者が管理する情報機器の制御のもとでは、
前記電力消費量の積算値に関する情報を取得し、取得した電力消費量の積算値に関する情報をもとに電力消費量の削減高を決定し、決定した電力消費量の削減高を顧客と管理者が分配する金額を、あらかじめ決められた分配比率に基づき算出することを特徴とする電力消費量の削減高分配方法。
【００３５】
（請求項２７）  前記管理者が管理する情報機器と通信ネットワークを介して接続された顧客が管理する情報機器を有し、
前記管理者が管理する情報機器の制御のもとでは、
前記顧客と管理者が分配する金額を含む情報を前記顧客が管理する情報機器に通知することを特徴とする請求項２６に記載の電力消費量の削減高分配方法。
【００３６】
（請求項２８）  顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバは、
前記第１情報機器が取得した電力消費量の積算値に関する情報を取得する積算値情報取得手段（サ）と、
前記積算値情報取得手段（サ）が取得した電力消費量の積算値に関する情報の提供要請を、前記管理者が管理する情報機器から受け付ける積算値情報提供要請受付手段と、
前記積算値情報取得手段（サ）が取得した電力消費量の積算値に関する情報を前記管理者が管理する情報機器に提供する積算値情報提供手段を備え、
前記管理者が管理する情報機器は、
前記サーバに対し、前記積算値情報取得手段（サ）が取得した電力消費量の積算値に関する情報の提供を要請する積算値情報提供要請手段と、
前記電力消費量の積算値に関する情報を前記サーバから取得する積算値情報取得手段（管）と、
前記積算値情報取得手段（管）が取得した電力消費量の積算値に関する情報をもとに電力消費量の削減高を決定する削減高決定手段（管）と、
前記削減高決定手段（管）が決定した電力消費量の削減高を顧客と管理者が分配する金額を、あらかじめ決められた分配比率に基づき算出する分配金額算出手段（管）を備えていることを特徴とする電力消費量の削減高分配システム。
【００３７】
（請求項２９）  前記管理者が管理する情報機器と通信ネットワークを介して接続された顧客が管理する情報機器を有し、
前記管理者が管理する情報機器は、
前記分配金額算出手段（管）が算出した顧客と管理者が分配する金額を含む情報を、前記顧客が管理する情報機器に通知する分配金額情報通知手段を備えていることを特徴とする請求項２８に記載の電力消費量の削減高分配システム。
【００３８】
（請求項３０）  通信通信ネットワークを介して第１情報機器と通信可能なサーバに通信通信ネットワークを介して接続された管理者が管理する情報機器において、
前記サーバが前記第１情報機器から取得した情報、すなわち配電盤に設置した積算電力計から前記第１情報機器が取得した、顧客に貸与した電力消費量を削減制御する制御装置により制御された電力消費装置が消費する電力消費量の積算値に関する情報、を取得する積算値情報取得手段（管）を備えていることを特徴とする管理者が管理する情報機器。
【００３９】
（請求項３１）  前記積算値情報取得手段（管）が取得した電力消費量の積算値に関する情報をもとに電力消費量の削減高を決定する削減高決定手段（管）と、
前記削減高決定手段（管）が決定した電力消費量の削減高を顧客と管理者が分配する金額を、あらかじめ決められた分配比率に基づき算出する分配金額算出手段（管）を備えていることを特徴とする請求項３０に記載の管理者が管理する情報機器。
【００４０】
（請求項３２）  前記管理者が管理する情報機器と通信ネットワークを介して接続された顧客が管理する情報機器を有し、
前記分配金額算出手段（管）が算出した顧客と管理者が分配する金額を含む情報を、前記顧客が管理する情報機器に通知する分配金額情報通知手段を備えていることを特徴とする請求項３１に記載の管理者が管理する情報機器。
【００４１】
（請求項３３）  顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバの制御のもとでは、
前記第１情報機器が取得した電力消費量の積算値に関する情報を取得し、取得した電力消費量の積算値に関する情報をもとに電力消費量の削減高を決定し、
前記管理者が管理する情報機器の制御のもとでは、
前記サーバに対し、前記電力消費量の削減高に関する情報の提供を要請し、
前記サーバの制御のもとでは、
前記管理者が管理する情報機器からの要請を受け付けて、前記決定した電力消費量の削減高に関する情報を前記管理者が管理する情報機器に提供し、
前記管理者が管理する情報機器の制御のもとでは、
前記電力消費量の削減高に関する情報を取得し、取得した電力消費量の削減高を顧客と管理者が分配する金額を、あらかじめ決められた分配比率に基づき算出することを特徴とする電力消費量の削減高分配方法。
【００４２】
（請求項３４）  前記管理者が管理する情報機器と通信ネットワークを介して接続された顧客が管理する情報機器を有し、
前記管理者が管理する情報機器の制御のもとでは、
前記算出した顧客と管理者が分配する金額を含む情報を前記顧客が管理する情報機器に通知することを特徴とする請求項３３に記載の電力消費量の削減高分配方法。
【００４３】
（請求項３５）  顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、
前記サーバは、
前記第１情報機器が取得した電力消費量の積算値に関する情報を取得する積算値情報取得手段（サ）と、
前記積算値情報取得手段（サ）が取得した電力消費量の積算値に関する情報をもとに電力消費量の削減高を決定する削減高決定手段（サ）と、
前記削減高決定手段（サ）が決定した電力消費量の削減高に関する情報の提供要請を、前記管理者が管理する情報機器から受け付ける削減高情報提供要請受付手段と、
前記削減高決定手段（サ）が決定した電力消費量の削減高に関する情報を前記管理者が管理する情報機器に提供する削減高情報提供手段を備え、
前記管理者が管理する情報機器は、
前記サーバに対し、前記削減高決定手段（サ）が決定した電力消費量の削減高に関する情報の提供を要請する削減高情報提供要請手段と、
前記電力消費量の削減高に関する情報を前記サーバから取得する削減高情報取得手段（管）と、
前記削減高情報取得手段（管）が取得した電力消費量の削減高を顧客と管理者が分配する金額を、あらかじめ決められた分配比率に基づき算出する分配金額算出手段（管）を備えていることを特徴とする電力消費量の削減高分配システム。
【００４４】
（請求項３６）  前記管理者が管理する情報機器と通信ネットワークを介して接続された顧客が管理する情報機器を有し、
前記管理者が管理する情報機器は、
前記分配金額算出手段（管）が算出した顧客と管理者が分配する金額を含む情報を、前記顧客が管理する情報機器に通知する分配金額情報通知手段を備えていることを特徴とする請求項３５に記載の電力消費量の削減高分配システム。
【００４５】
（請求項３７）  前記電力消費装置が蛍光灯であることを特徴とする請求項１６に記載の電力消費量の削減高管理システム。
【００４６】
（請求項３８）  前記電力消費装置が蛍光灯であることを特徴とする請求項１７、１８、１９、２０、２１、２６、２７、３３又は３４に記載の電力消費量の削減高分配方法。
【００４７】
（請求項３９）  前記電力消費装置が蛍光灯であることを特徴とする請求項２２、２３、２８、２９、３５又は３６に記載の電力消費量の削減高分配システム。
【００４８】
（請求項４０）  前記電力消費装置が蛍光灯であることを特徴とする請求項２４に記載のサーバ。
【００４９】
（請求項４１）  前記電力消費装置が蛍光灯であることを特徴とする請求項２５に記載の電力消費量の削減高分配システムのためのプログラム。
【００５０】
（請求項４２）  前記電力消費装置が蛍光灯であることを特徴とする請求項３０、３１又は３２に記載の管理者が管理する情報機器。
【００５１】
以下の説明においては、特に断りのない限り請求項１乃至４２に記載のそれぞれの発明をまとめて、本発明という。特に限定的に説明する場合には、例えば、請求項１に記載の発明、というように特定する。
【００５２】
本発明における「電力消費量を削減制御する制御装置」は、代表的には、コンプレッサー制御型と電圧制御型に区分できる。コンプレッサー制御型は、ダイナミック制御方式とタイマー式制御方式があり、コンプレッサーを有する電力消費装置（例えば、冷凍庫、冷蔵庫、空調機、冷却機等）のコンプレッサーに接続して消費電力を削減する。ダイナミック制御方式は、コンプレッサーのサーモＯＦＦを延長させる、ＯＮ−ＯＦＦ制御回数を減らすことで電力消費を削減する。この方式の制御装置としては株式会社ライトシステムパートナーから販売されているエコプラン（登録商標）がある。タイマー式制御方式は、設定時刻毎にコンプレッサーを強制停止させることで消費電力を削減する。
【００５３】
電圧制御型は電圧降下制御方式があり、配電盤と電力消費装置（例えば、蛍光灯、白熱電球、ヒーター等）の間に接続して、例えば１００Ｖから９５Ｖに電圧を下げることで電力消費を削減する。
【００５４】
本発明においては、「電力消費量を削減制御する制御装置」を販売する販売業者（本発明では管理者と同義）は、「電力消費量を削減制御する制御装置」をお客様（顧客と同義）に貸与するものである。貸与の条件は、有償であるか無償であるかは管理者とお客様との交渉で決めればよい。無償であることが好ましいが、有償であってもお客様が納得できる価格が好ましい。取り付け工事、メンテナンス等が必要な場合は、工事代金、メンテナンス代金を含む価格（無償も含む）であることが好ましい。
【００５５】
本発明者らは、お客様が消費電力削減システムを導入するに当たって、無償若しくはお客様が納得できる価格で「電力消費量を削減制御する制御装置」を貸与し、「電力消費量を削減制御する制御装置」を使用することによって削減できた電力消費量の削減高は、あらかじめ決められた分配比率に基づき算出した分配金額で管理者とお客様が分配する、というビジネスモデルを開発した。本発明は、このビジネスモデルにコンピュータシステムを利用したものである。
【発明の効果】
【００５６】
本発明によれば、消費電力削減システムを導入するお客様にとっては、リスクミニマムで消費電力削減システムを導入することが可能となり、消費電力削減システムを販売する企業にとっても収益が期待できる、電力消費量の削減高管理システム並びに電力消費量の削減高分配方法及び電力消費量の削減高分配システム等を提供することができた。また、本発明を利用することにより、地球温暖化対策に大いに貢献することが期待できる。
【発明を実施するための最良の形態】
【００５７】
先ず、請求項１から請求項１５に記載の発明について説明する。
【００５８】
コンプレッサーを有する空調機に取り付けて、コンプレッサーの稼働時間を制御することにより、電力消費量を削減制御する制御装置を例にとって説明する。電力消費量を削減制御する制御装置は、コンプレッサーの実稼働時間の累計を記憶する記憶素子と、コンプレッサーの稼働を制御した時間の累計を記憶する記憶素子を有している。この場合、制御装置が削減制御した電力消費量の削減高に関する情報としては、コンプレッサーの実稼働時間の累計とコンプレッサーの稼働を制御した時間の累計の二つの情報、であっても、この二つの情報に基づき換算された削減高そのものであってもよい。後者の場合は、電力消費量を削減制御する制御装置に、コンプレッサーの稼働を制御した時間の累計から削減高を換算する換算式を記憶したＲＯＭを組み込んでおけばよい。換算式としては、種々提案されているが、例えば、コンプレッサーの稼働を制御した時間の累計×コンプレッサー容量×１．５（係数）×料金単価、なる式から削減高を求めることができる。
【００５９】
例えば、コンプレッサー容量５．５ｋＷの業務用空調機に、本発明に係る電力消費量を削減制御する制御装置を適用したとする。コンプレッサーの実稼働時間の累計が２４３時間であり、コンプレッサーの稼働を制御した時間の累計が１１９時間であった。この場合、上記式から削減高は１４７２６円と計算できる。（１１９×５．５×１．５×１５＝１４７２６  ここで、料金単価はｋＷ当たり１５円とした。）
本発明の大きな特徴は、電力消費量を削減制御する制御装置は、お客様に無償ないしはお客様が納得できる価格で貸与するが、電力消費量を削減制御する制御装置を用いて削減できたお金は、お客様と管理者があらかじめ決められた分配比率に基づき分配するところにある。本発明者等はこのようなシステムをシェア式レンタルと名付けた。
【００６０】
削減高と分配比率の一例を表１に示す。
【００６１】
【表１】
2006018629.tif 000003
なお、表１において、弊社とは管理者のことである。
【００６２】
以下、図面を参照して本発明を説明する。
【００６３】
図１は、本発明の実施形態に係る電力消費量削減高管理システムの構成例を示す図である。図４は、本発明の実施形態に係る電力消費量削減高分配システムの構成例を示す図である。
【００６４】
図１及び図４において、符号５は、例えば、冷凍庫、冷蔵庫、空調機、冷却機等に代表される電力消費装置である。符号６は、電力消費装置５に接続して、電力消費装置５が消費する電力消費量を削減制御する制御装置（以下、特に断りのない限り制御装置という）である。制御装置６は、顧客に対し管理者が、例えば無償で貸与したものである。符号２は、第１情報機器であり、制御装置６が削減制御した電力消費量の削減高に関する情報を取得する機能を有するものである。第１情報機器２としては専用の機器であっても汎用性のあるコンピュータであってもよい。例えば、制御装置６にＩＣチップを装着して、無線で第１情報機器２に電力消費量の削減高に関する情報を送信するようにすることができる。また、第１情報機器２としては携帯電話であってもよい。第１情報機器２が取得した電力消費量の削減高に関する情報は、インターネットなどの通信ネットワーク１を介して接続されたサーバ３に送信される。サーバ３は管理者が専用に設置したものであっても、プロバイダーが提供するものであってもよい。符号４は、管理者が管理する情報機器であって、例えば、パーソナルコンピュータを利用することができる。また、符号７は、顧客が管理する情報機器であって、、例えば、パーソナルコンピュータを利用することができる。
【００６５】
このようにして管理者は、管理者が顧客に貸与した制御装置６が削減制御できた電力消費量の削減高に関する情報を取得することにより管理することができる。また、管理者は、あらかじめ顧客と取り決めた分配比率（例えば、表１を参照）に基づいて削減制御できた電力消費量の削減高を、顧客と分配することにより、収益をあげることができる。
【００６６】
図２は、図１における本発明の実施形態に係るサーバ３及び管理者が管理する情報機器４のブロック図である。図２（ａ）は、サーバ３の実施形態を説明するブロック図である。ネットワーク通信部３２は、通信ネットワーク１とのインターフェイス機能を有し、サーバ３を通信ネットワーク１を介して第１情報機器２と管理者が管理する情報機器４に接続する。サーバ３は、その動作を統括制御する制御部として機能するＣＰＵ（中央処理装置）３１を備え、バスを通じてＣＰＵ３１と、ＲＡＭ３３、ＲＯＭ３４、ネットワーク通信部３２が接続されている。このうち、ＲＯＭ（リード・オンリ・メモリ）３４は、ＣＰＵ３１が実行するプログラムや各種固定データを記憶した読み出し専用メモリである。ＲＡＭ（ランダム・アクセス・メモリ）３３は、ＣＰＵ３１がプログラムを実行する際に各種データを一時的に格納するワークメモリや、データを格納するデータ格納メモリとして機能するメモリである。
【００６７】
ＣＰＵ３１は、削減高情報取得手段（サ）３１１と、削減高情報提供要請受付手段３１２と、削減高情報提供手段３１３としての機能を有する。削減高情報取得手段（サ）３１１は、通信ネットワーク１に接続されている第１情報機器２から転送されてくる削減高に関する情報をネットワーク通信部３２を介して取得する機能を有する。
【００６８】
削減高に関する情報は、電力消費装置５に接続されている制御装置６が削減制御した電力消費量の削減高に関する情報であり、第１情報機器２により取得されるものである。削減高に関する情報は、第１情報機器２が定期的に無線で制御装置６に指示を出し、制御装置６から第１情報機器２に送信されるようにしても、あるいは、制御装置６から定期的に第１情報機器２に送信されるようにしてもよい。また、随時、第１情報機器２は制御装置６から削減高に関する情報を取得してもよい。
【００６９】
削減高情報提供要請受付手段３１２は、通信ネットワーク１に接続されている管理者が管理する情報機器４から送信されてくる電力消費量の削減高に関する情報の提供の要請をネットワーク通信部３２を介して受け付ける機能を有する。また、削減高情報提供要請受付手段３１２は、管理者が管理する情報機器４から送信されてくるユーザーＩＤとパスワードを判別する機能も有している。削減高情報提供手段３１３は、通信ネットワーク１に接続されている管理者が管理する情報機器４に電力消費量の削減高に関する情報を、ネットワーク通信部３２を介して送信する機能を有する。
【００７０】
サーバ３は、第１情報機器２から取得した電力消費量の削減高に関する情報が、コンプレッサーの稼働を制御した時間の累計の場合、削減高に換算して管理者が管理する情報機器４に提供してもよいし、換算しないでコンプレッサーの稼働を制御した時間の累計をそのまま、管理者が管理する情報機器４に転送してもよい。
【００７１】
図２（ｂ）は、管理者が管理する情報機器４の実施形態を説明するブロック図である。ネットワーク通信部３６は、通信ネットワーク１とのインターフェイス機能を有し、管理者が管理する情報機器４を通信ネットワーク１を介してサーバ３と接続する。管理者が管理する情報機器４は、その動作を統括制御する制御部として機能するＣＰＵ（中央処理装置）３５を備え、バスを通じてＣＰＵ３５と、ＲＡＭ３７、ＲＯＭ３８、ネットワーク通信部３６が接続されている。このうち、ＲＯＭ（リード・オンリ・メモリ）３８は、ＣＰＵ３５が実行するプログラムや各種固定データを記憶した読み出し専用メモリである。ＲＡＭ（ランダム・アクセス・メモリ）３７は、ＣＰＵ３５がプログラムを実行する際に各種データを一時的に格納するワークメモリや、データを格納するデータ格納メモリとして機能するメモリである。
【００７２】
ＣＰＵ３５は、削減高情報提供要請手段３５１と、削減高情報取得手段（管）３５２ととしての機能を有する。削減高情報提供要請手段３５１は、通信ネットワーク１に接続されているサーバ３に、ユーザーＩＤとパスワードをネットワーク通信部３６を介して送信し、サーバ３から承認が得られると、電力消費量の削減高に関する情報の提供をネットワーク通信部３６を介して要請する機能を有する。
【００７３】
削減高情報取得手段（管）３５２は、通信ネットワーク１に接続されているサーバ３から電力消費量の削減高に関する情報を、ネットワーク通信部３６を介して取得する機能を有する。取得した電力消費量の削減高に関する情報は、図示しない顧客ごとのファイルに格納される。また、必要に応じて、プリントアウトすることもできる。
【００７４】
図３は、本発明の実施形態の動作を示すフローチャートである。
【００７５】
第１情報機器２は、電力消費装置５に接続されている制御装置６が削減制御した電力消費量の削減高に関する情報を制御装置６から取得する（ステップＳ２１）。取得した電力消費量の削減高に関する情報はサーバ３に送信される（ステップＳ２２）。
【００７６】
サーバ３側では、削減高情報取得手段（サ）３１１が、第１情報機器２から、通信ネットワーク１を介して送信されてきた電力消費量の削減高に関する情報を取得する（ステップＳ２３）。
【００７７】
管理者は、管理者の管理する情報機器４を操作し、ユーザーＩＤとパスワードを入力する。管理者の管理する情報機器４は、削減高情報提供要請手段３５１が、ユーザーＩＤとパスワードをサーバ３に送信し、サーバ３から承認が得られると、電力消費量の削減高に関する情報の提供を要請する（ステップＳ２４）。
【００７８】
サーバ３は、削減高情報提供要請受付手段３１２が、ユーザーＩＤとパスワードが正当であると判断すると、承認の通知を管理者の管理する情報機器４に送信し、次いで、管理者の管理する情報機器４からの要請を受け付けて、削減高情報提供手段３１３が電力消費量の削減高に関する情報を送信する（ステップＳ２５）。管理者の管理する情報機器４では、削減高情報取得手段（管）３５２が電力消費量の削減高に関する情報を受信する（ステップＳ２６）。
【００７９】
図５は、図４における本発明の実施形態に係るサーバ３及び管理者が管理する情報機器４のブロック図である。図５（ａ）は、サーバ３の実施形態を説明するブロック図である。ネットワーク通信部６２は、通信ネットワーク１とのインターフェイス機能を有し、サーバ３を通信ネットワーク１を介して第１情報機器２と管理者が管理する情報機器４に接続する。サーバ３は、その動作を統括制御する制御部として機能するＣＰＵ（中央処理装置）６１を備え、バスを通じてＣＰＵ６１と、ＲＡＭ６３、ＲＯＭ６４、ネットワーク通信部６２が接続されている。このうち、ＲＯＭ（リード・オンリ・メモリ）６４は、ＣＰＵ６１が実行するプログラムや各種固定データを記憶した読み出し専用メモリである。ＲＡＭ（ランダム・アクセス・メモリ）６３は、ＣＰＵ６１がプログラムを実行する際に各種データを一時的に格納するワークメモリや、データを格納するデータ格納メモリとして機能するメモリである。
【００８０】
ＣＰＵ６１は、削減高情報取得手段（サ）６１１と、分配金額算出手段（サ）６１２、分配金額情報提供要請受付手段６１３、分配金額情報提供手段６１４としての機能を有する。削減高情報取得手段（サ）６１１は、通信ネットワーク１に接続されている第１情報機器２から転送されてくる削減高に関する情報をネットワーク通信部６２を介して取得する機能を有する。
【００８１】
削減高に関する情報は、電力消費装置５に接続されている制御装置６が削減制御した電力消費量の削減高に関する情報であり、第１情報機器２により取得されるものである。削減高に関する情報は、第１情報機器２が定期的に無線で制御装置６に指示を出し、制御装置６から第１情報機器２の送信されるようにしても、あるいは、制御装置６から定期的に第１情報機器２に送信されるようにしてもよい。また、随時、第１情報機器２は制御装置６から削減高に関する情報を取得してもよい。
【００８２】
分配金額算出手段（サ）６１２は、削減高情報取得手段（サ）６１１が取得した電力消費量の削減高に関する情報をもとに、電力消費量の削減高を、制御装置を貸与したお客様である顧客と管理者が分配する金額を、あらかじめ決められた分配比率に基づき算出する機能を有する。あらかじめ決められた分配比率は、前記した表１に示したものを基準とすることができる。
【００８３】
分配金額情報提供要請受付手段６１３は、通信ネットワーク１に接続されている管理者が管理する情報機器４から送信されてくる分配金額情報提供の要請をネットワーク通信部６２を介して受け付ける機能を有する。また、分配金額情報提供要請受付手段６１３は、管理者が管理する情報機器４から送信されてくるユーザーＩＤとパスワードを判別する機能も有している。分配金額情報提供手段６１４は、通信ネットワーク１に接続されている管理者が管理する情報機器４に、分配金額算出手段（サ）６１２が算出した顧客と管理者が分配する金額を含む情報をネットワーク通信部６２を介して送信する機能を有する。
【００８４】
図５（ｂ）は、管理者が管理する情報機器４の実施形態を説明するブロック図である。ネットワーク通信部６６は、通信ネットワーク１とのインターフェイス機能を有し、管理者が管理する情報機器４を通信ネットワーク１を介してサーバ３及び顧客が管理する情報機器７と接続する。管理者が管理する情報機器４は、その動作を統括制御する制御部として機能するＣＰＵ（中央処理装置）６５を備え、バスを通じてＣＰＵ６５と、ＲＡＭ６７、ＲＯＭ６８、ネットワーク通信部６６が接続されている。このうち、ＲＯＭ（リード・オンリ・メモリ）６８は、ＣＰＵ６５が実行するプログラムや各種固定データを記憶した読み出し専用メモリである。ＲＡＭ（ランダム・アクセス・メモリ）６７は、ＣＰＵ６５がプログラムを実行する際に各種データを一時的に格納するワークメモリや、データを格納するデータ格納メモリとして機能するメモリである。
【００８５】
ＣＰＵ６５は、分配金額情報提供要請手段６５１と、分配金額情報取得手段６５２と、分配金額情報通知手段６５３としての機能を有する。分配金額情報提供要請手段６５１は、通信ネットワーク１に接続されているサーバ３に、ユーザーＩＤとパスワードをネットワーク通信部６６を介して送信し、サーバ３から承認が得られると、分配金額算出手段（サ）６１１が算出した顧客と管理者が分配する金額を含む情報の提供をネットワーク通信部６６を介して要請する機能を有する。分配金額情報取得手段６５２は、通信ネットワーク１に接続されているサーバ３から、分配金額算出手段（サ）６１１が算出した顧客と管理者が分配する金額を含む情報をネットワーク通信部６６を介して取得する機能を有する。取得した顧客と管理者が分配する金額を含む情報は、図示しない顧客ごとのファイルに格納される。また、必要に応じて、プリントアウトすることもできる。
【００８６】
分配金額情報通知手段６５３は、通信ネットワーク１に接続されている顧客が管理する情報機器７に、分配金額情報取得手段６５２が取得した顧客と管理者が分配する金額を含む情報を、ネットワーク通信部６６を介して送信する機能を有する。顧客と管理者が分配する金額を含む情報としては、顧客が管理者に支払う金額だけであってもよく、また、両者が分配し合う金額を含むものであってもよい。
【００８７】
図６は、本発明の実施形態の動作を示すフローチャートである。
【００８８】
第１情報機器２は、電力消費装置５に接続されている制御装置６が削減制御した電力消費量の削減高に関する情報を制御装置６から取得する（ステップＳ５１）。取得した電力消費量の削減高に関する情報はサーバ３に送信される（ステップＳ５２）。
【００８９】
サーバ３側では、削減高情報取得手段（サ）６１１が、第１情報機器２から、通信ネットワーク１を介して送信されてきた電力消費量の削減高に関する情報を取得する（ステップＳ５３）。次いで、分配金額算出手段（サ）６１２が、取得した電力消費量の削減高に関する情報をもとに、電力消費量の削減高を顧客と管理者が分配する金額を、あらかじめ決められた分配比率に基づき算出する（ステップＳ５４）。
【００９０】
管理者は、管理者の管理する情報機器４を操作し、ユーザーＩＤとパスワードを入力する。管理者の管理する情報機器４は、分配金額情報提供要請手段６５１が、ユーザーＩＤとパスワードをサーバ３に送信し、サーバ３から承認が得られると、顧客と管理者が分配する金額を含む情報の提供を要請する（ステップＳ５５）。
【００９１】
サーバ３は、分配金額情報提供要請受付手段６１３が、ユーザーＩＤとパスワードが正当であると判断すると、承認の通知を管理者の管理する情報機器４に送信し、次いで、管理者の管理する情報機器４からの要請を受け付けて、分配金額情報提供手段６１４が、顧客と管理者が分配する金額を含む情報を送信する（ステップＳ５６）。
【００９２】
管理者の管理する情報機器４では、分配金額情報取得手段６５２が顧客と管理者が分配する金額を含む情報を受信する（ステップＳ５７）。次いで、分配金額情報通知手段６５３は、顧客が管理する情報機器７に、分配金額情報取得手段６５２が取得した顧客と管理者が分配する金額を含む情報を送信する（ステップＳ５８）。顧客が管理する情報機器７では、管理者の管理する情報機器４から送信されてきた顧客と管理者が分配する金額を含む情報を受信する（ステップＳ５９）。顧客と管理者が分配する金額を含む情報を受領した顧客は、管理者の指定する銀行口座に指定された金額を振り込む。
【００９３】
図７は、図４における本発明の実施形態に係るサーバ３及び管理者が管理する情報機器４のブロック図である。
【００９４】
図７（ａ）は、サーバ３の実施形態を説明するブロック図である。ネットワーク通信部８２は、通信ネットワーク１とのインターフェイス機能を有し、サーバ３を通信ネットワーク１を介して第１情報機器２と管理者が管理する情報機器４に接続する。サーバ３は、その動作を統括制御する制御部として機能するＣＰＵ（中央処理装置）８１を備え、バスを通じてＣＰＵ８１と、ＲＡＭ８３、ＲＯＭ８４、ネットワーク通信部８２が接続されている。このうち、ＲＯＭ（リード・オンリ・メモリ）８４は、ＣＰＵ８１が実行するプログラムや各種固定データを記憶した読み出し専用メモリである。ＲＡＭ（ランダム・アクセス・メモリ）８３は、ＣＰＵ８１がプログラムを実行する際に各種データを一時的に格納するワークメモリや、データを格納するデータ格納メモリとして機能するメモリである。
【００９５】
ＣＰＵ８１は、削減高情報取得手段（サ）８１１と、削減高情報提供要請受付手段８１２と、削減高情報提供手段８１３としての機能を有する。削減高情報取得手段（サ）８１１は、通信ネットワーク１に接続されている第１情報機器２から転送されてくる削減高に関する情報をネットワーク通信部８２を介して取得する機能を有する。
【００９６】
削減高情報提供要請受付手段８１２は、通信ネットワーク１に接続されている管理者が管理する情報機器４から送信されてくる電力消費量の削減高に関する情報の提供の要請をネットワーク通信部８２を介して受け付ける機能を有する。また、削減高情報提供要請受付手段８１２は、管理者が管理する情報機器４から送信されてくるユーザーＩＤとパスワードを判別する機能も有している。削減高情報提供手段８１３は、通信ネットワーク１に接続されている管理者が管理する情報機器４に電力消費量の削減高に関する情報を、ネットワーク通信部８２を介して送信する機能を有する。
【００９７】
図７（ｂ）は、管理者が管理する情報機器４の実施形態を説明するブロック図である。ネットワーク通信部８６は、通信ネットワーク１とのインターフェイス機能を有し、管理者が管理する情報機器４を通信ネットワーク１を介してサーバ３及び顧客が管理する情報機器７と接続する。管理者が管理する情報機器４は、その動作を統括制御する制御部として機能するＣＰＵ（中央処理装置）８５を備え、バスを通じてＣＰＵ８５と、ＲＡＭ８７、ＲＯＭ８８、ネットワーク通信部８６が接続されている。このうち、ＲＯＭ（リード・オンリ・メモリ）８８は、ＣＰＵ８５が実行するプログラムや各種固定データを記憶した読み出し専用メモリである。ＲＡＭ（ランダム・アクセス・メモリ）８７は、ＣＰＵ８５がプログラムを実行する際に各種データを一時的に格納するワークメモリや、データを格納するデータ格納メモリとして機能するメモリである。
【００９８】
ＣＰＵ８５は、削減高情報提供要請手段８５１と、削減高情報取得手段（管）８５２、分配金額算出手段（管）８５３と分配金額情報通知手段８５４としての機能を有する。
【００９９】
削減高情報提供要請手段８５１は、通信ネットワーク１に接続されているサーバ３に、ユーザーＩＤとパスワードをネットワーク通信部８６を介して送信し、サーバ３から承認が得られると、電力消費量の削減高に関する情報の提供をネットワーク通信部８６を介して要請する機能を有する。削減高情報取得手段（管）８５２は、通信ネットワーク１に接続されているサーバ３から電力消費量の削減高に関する情報をネットワーク通信部８６を介して取得する機能を有する。
【０１００】
分配金額算出手段（管）８５３は、削減高情報取得手段（管）８５２が取得した電力消費量の削減高に関する情報をもとに、電力消費量の削減高を、制御装置を貸与したお客様である顧客と管理者が分配する金額を、あらかじめ決められた分配比率に基づき算出する機能を有する。あらかじめ決められた分配比率は、前記した表１に示したものを基準とすることができる。算出した顧客と管理者が分配する金額は、図示しない顧客ごとのファイルに格納される。また、必要に応じて、プリントアウトすることもできる。
【０１０１】
分配金額情報通知手段８５４は、通信ネットワーク１に接続されている顧客が管理する情報機器７に、分配金額算出手段（管）８５３が算出した顧客と管理者が分配する金額を含む情報をネットワーク通信部８６を介して送信する機能を有する。顧客と管理者が分配する金額を含む情報としては、顧客が管理者に支払う金額だけであってもよく、また、両者が分配し合う金額であってもよい。
【０１０２】
図８は、本発明の実施形態の動作を示すフローチャートである。
【０１０３】
第１情報機器２は、電力消費装置５に接続されている制御装置６が削減制御した電力消費量の削減高に関する情報を制御装置６から取得する（ステップＳ７１）。取得した電力消費量の削減高に関する情報はサーバ３に送信される（ステップＳ７２）。
【０１０４】
サーバ３側では、削減高情報取得手段（サ）８１１が、第１情報機器２から、通信ネットワーク１を介して送信されてきた電力消費量の削減高に関する情報を取得する（ステップＳ７３）。
【０１０５】
管理者は、管理者の管理する情報機器４を操作し、ユーザーＩＤとパスワードを入力する。管理者の管理する情報機器４は、削減高情報提供要請手段８５１が、ユーザーＩＤとパスワードをサーバ３に送信し、サーバ３から承認が得られると、電力消費量の削減高に関する情報の提供を要請する（ステップＳ７４）。
【０１０６】
サーバ３は、削減高情報提供要請受付手段８１２が、ユーザーＩＤとパスワードが正当であると判断すると、承認の通知を管理者の管理する情報機器４に送信し、次いで、管理者の管理する情報機器４からの要請を受け付けて、削減高情報提供手段８１３が電力消費量の削減高に関する情報を送信する（ステップＳ７５）。管理者の管理する情報機器４では、削減高情報取得手段（管）８５２が電力消費量の削減高に関する情報を受信する（ステップＳ７６）。次いで、分配金額算出手段（管）８５３が、取得した電力消費量の削減高に関する情報をもとに、電力消費量の削減高を顧客と管理者が分配する金額を、あらかじめ決められた分配比率に基づき算出する（ステップＳ７７）。
【０１０７】
分配金額情報通知手段８５４は、顧客が管理する情報機器７に、分配金額算出手段（管）８５３が算出した顧客と管理者が分配する金額を含む情報を送信する（ステップＳ７８）。顧客が管理する情報機器７では、管理者の管理する情報機器４から送信されてきた顧客と管理者が分配する金額を含む情報を受信する（ステップＳ７９）。顧客と管理者が分配する金額を含む情報を受領した顧客は、管理者の指定する銀行口座に指定された金額を振り込む。
【０１０８】
次に、請求項１６から請求項４２に記載の発明について説明する。
【０１０９】
制御装置としては、電圧降下制御方式の制御装置を例にとって説明する。制御装置は、配電盤と蛍光灯などの照明装置の間に接続し、電圧を１００Ｖから９５Ｖに下げることにより消費電力を節減する。蛍光灯などの照明装置が消費した電力消費量は、配電盤に設けられた積算電力計に記録される。この方式では、直接的に電力消費量の削減高に関する情報は得られないのの、制御装置を適用しない状態で、１ヶ月ないしは１年間の蛍光灯などの照明装置が消費した電力消費量を参考にして、制御装置を適用したときとの差を削減できた電力消費量とすることができる。
【０１１０】
制御装置は顧客に貸与するものであること、電力消費量の削減高は顧客と管理者が分配すること、すなわち、シェア式レンタルであることは請求項１から請求項１５に記載の発明と同じである。
【０１１１】
以下、図面を参照して本発明を説明する。
【０１１２】
図９は、本発明の実施形態に係る電力消費量削減高管理システムの構成例を示す図である。図１４は、本発明の実施形態に係る電力消費量削減高分配システムの構成例を示す図である。
【０１１３】
図９及び図１４において、符号１０は、例えば、蛍光灯のような照明装置に代表される電力消費装置である。符号９は、電力消費装置１０に接続して、電力消費装置１０が消費する電力消費量を削減制御する制御装置（以下、特に断りのない限り制御装置という）である。制御装置９は、顧客に対し管理者が、例えば無償で貸与したものである。符号８は、内部に図示しない積算電力計が配置されている配電盤である。符号２は、第１情報機器であり、制御装置９により制御された電力消費装置１０が消費する電力消費量の積算値に関する情報を取得する機能を有するものである。第１情報機器２としては専用の機器であっても汎用性のあるコンピュータであってもよい。例えば、積算電力計にＩＣチップを装着して、無線で第１情報機器２に電力消費量の積算値に関する情報を送信するようにすることができる。また、第１情報機器２としては携帯電話であってもよい。第１情報機器２が取得した電力消費量の積算値に関する情報は、インターネットなどの通信ネットワーク１を介して接続されたサーバ３に送信される。サーバ３は管理者が専用に設置したものであっても、プロバイダーが提供するものであってもよい。符号４は、管理者が管理する情報機器であって、例えば、パーソナルコンピュータを利用することができる。また、符号７は、顧客が管理する情報機器であって、例えば、パーソナルコンピュータを利用することができる。
【０１１４】
このようにして管理者は、管理者が顧客に貸与した制御装置９により制御された電力消費装置１０が消費する電力消費量の積算値に関する情報を取得することにより管理することができる。また、取得した電力消費量の積算値は、制御装置を取り付けない前の１ヶ月間、若しくは昨年の同月の電力消費量の積算値と比較することによって、電力消費量の削減高を決定することができる。さらに、管理者は、あらかじめ顧客と取り決めた分配比率（例えば、表１を参照）に基づいて削減制御できた電力消費量の削減高を、顧客と分配することにより、収益をあげることができる。
【０１１５】
図１０は、図９における本発明の実施形態に係るサーバ３及び管理者が管理する情報機器４のブロック図である。図１０（ａ）は、サーバ３の実施形態を説明するブロック図である。ネットワーク通信部１１２は、通信ネットワーク１とのインターフェイス機能を有し、サーバ３を通信ネットワーク１を介して第１情報機器２と管理者が管理する情報機器４に接続する。サーバ３は、その動作を統括制御する制御部として機能するＣＰＵ（中央処理装置）１１１を備え、バスを通じてＣＰＵ１１１と、ＲＡＭ１１３、ＲＯＭ１１４、ネットワーク通信部１１２が接続されている。このうち、ＲＯＭ（リード・オンリ・メモリ）１１４は、ＣＰＵ１１１が実行するプログラムや各種固定データを記憶した読み出し専用メモリである。ＲＡＭ（ランダム・アクセス・メモリ）１１３は、ＣＰＵ１１１がプログラムを実行する際に各種データを一時的に格納するワークメモリや、データを格納するデータ格納メモリとして機能するメモリである。
【０１１６】
ＣＰＵ１１１は、積算値情報取得手段（サ）１１１１と、積算値情報提供要請受付手段１１１２と、積算値情報提供手段１１１３としての機能を有する。積算値情報取得手段（サ）１１１１は、通信ネットワーク１に接続されている第１情報機器２から転送されてくる電力消費量の積算値に関する情報をネットワーク通信部１１２を介して取得する機能を有する。
【０１１７】
電力消費量の積算値に関する情報は、管理者が顧客に貸与した制御装置９により制御された電力消費装置１０が消費する電力消費量の積算値に関する情報であり、第１情報機器２により取得されるものである。電力消費量の積算値に関する情報は、第１情報機器２が定期的に無線で積算電力計に指示を出し、積算電力計から第１情報機器２に送信されるようにしても、あるいは、積算電力計から定期的に第１情報機器２に送信されるようにしてもよい。
【０１１８】
積算値情報提供要請受付手段１１１２は、通信ネットワーク１に接続されている管理者が管理する情報機器４から送信されてくる電力消費量の積算値に関する情報の提供の要請をネットワーク通信部１１２を介して受け付ける機能を有する。また、積算値情報提供要請受付手段１１１２は、管理者が管理する情報機器４から送信されてくるユーザーＩＤとパスワードを判別する機能も有している。積算値情報提供手段１１１３は、通信ネットワーク１に接続されている管理者が管理する情報機器４に電力消費量の積算値に関する情報を、ネットワーク通信部１１２を介して送信する機能を有する。
【０１１９】
図１０（ｂ）は、管理者が管理する情報機器４の実施形態を説明するブロック図である。ネットワーク通信部１１６は、通信ネットワーク１とのインターフェイス機能を有し、管理者が管理する情報機器４を通信ネットワーク１を介してサーバ３と接続する。管理者が管理する情報機器４は、その動作を統括制御する制御部として機能するＣＰＵ（中央処理装置）１１５を備え、バスを通じてＣＰＵ１１５と、ＲＡＭ１１７、ＲＯＭ１１８、ネットワーク通信部１１６が接続されている。このうち、ＲＯＭ（リード・オンリ・メモリ）１１８は、ＣＰＵ１１５が実行するプログラムや各種固定データを記憶した読み出し専用メモリである。ＲＡＭ（ランダム・アクセス・メモリ）１１７は、ＣＰＵ１１５がプログラムを実行する際に各種データを一時的に格納するワークメモリや、データを格納するデータ格納メモリとして機能するメモリである。
【０１２０】
ＣＰＵ１１５は、積算値情報提供要請手段１１５１と、積算値情報取得手段（管）１１５２としての機能を有する。積算値情報提供要請手段１１５１は、通信ネットワーク１に接続されているサーバ３に、ユーザーＩＤとパスワードをネットワーク通信部１１６を介して送信し、サーバ３から承認が得られると、電力消費量の積算値に関する情報の提供をネットワーク通信部１１６を介して要請する機能を有する。
【０１２１】
積算値情報取得手段（管）１１５２は、通信ネットワーク１に接続されているサーバ３から電力消費量の積算値に関する情報を、ネットワーク通信部１１６を介して取得する機能を有する。取得した電力消費量の積算値に関する情報は、図示しない顧客ごとのファイルに格納される。また、必要に応じて、プリントアウトすることもできる。
【０１２２】
図１１は、本発明の実施形態の動作を示すフローチャートである。
【０１２３】
第１情報機器２は、制御装置９により制御された電力消費装置１０が消費する電力消費量の積算値に関する情報を積算電力計から取得する（ステップＳ１０１）。取得した電力消費量の積算値に関する情報はサーバ３に送信される（ステップＳ１０２）。
【０１２４】
サーバ３側では、積算値情報取得手段（サ）１１１１が、第１情報機器２から、通信ネットワーク１を介して送信されてきた電力消費量の積算値に関する情報を取得する（ステップＳ１０３）。
【０１２５】
管理者は、管理者の管理する情報機器４を操作し、ユーザーＩＤとパスワードを入力する。管理者の管理する情報機器４は、積算値情報提供要請手段１１５１が、ユーザーＩＤとパスワードをサーバ３に送信し、サーバ３から承認が得られると、電力消費量の積算値に関する情報の提供を要請する（ステップＳ１０４）。
【０１２６】
サーバ３は、積算値情報提供要請受付手段１１１２が、ユーザーＩＤとパスワードが正当であると判断すると、承認の通知を管理者の管理する情報機器４に送信し、次いで、管理者の管理する情報機器４からの要請を受け付けて、積算値情報提供手段１１１３が電力消費量の積算値に関する情報を送信する（ステップＳ１０５）。管理者の管理する情報機器４では、積算値情報取得手段（管）１１５２が電力消費量の積算値に関する情報を受信する（ステップＳ１０６）。
【０１２７】
図１２は、図９における本発明の実施形態に係るサーバ３及び管理者が管理する情報機器４のブロック図である。図１２（ａ）は、サーバ３の実施形態を説明するブロック図である。ネットワーク通信部１２２は、通信ネットワーク１とのインターフェイス機能を有し、サーバ３を通信ネットワーク１を介して第１情報機器２と管理者が管理する情報機器４に接続する。サーバ３は、その動作を統括制御する制御部として機能するＣＰＵ（中央処理装置）１２１を備え、バスを通じてＣＰＵ１２１と、ＲＡＭ１２３、ＲＯＭ１２４、ネットワーク通信部１２２が接続されている。このうち、ＲＯＭ（リード・オンリ・メモリ）１２４は、ＣＰＵ１２１が実行するプログラムや各種固定データを記憶した読み出し専用メモリである。ＲＡＭ（ランダム・アクセス・メモリ）１２３は、ＣＰＵ１２１がプログラムを実行する際に各種データを一時的に格納するワークメモリや、データを格納するデータ格納メモリとして機能するメモリである。
【０１２８】
ＣＰＵ１２１は、積算値情報取得手段（サ）１２１１と、削減高決定手段（サ）１２１２、削減高情報提供要請受付手段１２１３、削減高情報提供手段１２１４としての機能を有する。積算値情報取得手段（サ）１２１１は、通信ネットワーク１に接続されている第１情報機器２から転送されてくる電力消費量の積算値に関する情報をネットワーク通信部１２２を介して取得する機能を有する。
【０１２９】
削減高決定手段（サ）１２１２は、積算値情報取得手段（サ）１２１１が取得した電力消費量の積算値に関する情報をもとに電力消費量の削減高を決定する機能を有する。図示しない顧客ごとのファイルに記録されている制御装置９を適用しない１年前の同月の電力消費量を比較して、積算値情報取得手段（サ）１２１１が取得した電力消費量の積算値に関する情報から削減高を決定する。
【０１３０】
削減高情報提供要請受付手段１２１３は、通信ネットワーク１に接続されている管理者が管理する情報機器４から送信されてくる削減高情報提供の要請をネットワーク通信部１２２を介して受け付ける機能を有する。また、削減高情報提供要請受付手段１２１３は、管理者が管理する情報機器４から送信されてくるユーザーＩＤとパスワードを判別する機能も有している。削減高情報提供手段１２１４は、通信ネットワーク１に接続されている管理者が管理する情報機器４に、削減高決定手段（サ）１２１２が決定した削減高に関する情報をネットワーク通信部１２２を介して送信する機能を有する。
【０１３１】
図１２（ｂ）は、管理者が管理する情報機器４の実施形態を説明するブロック図である。ネットワーク通信部１２６は、通信ネットワーク１とのインターフェイス機能を有し、管理者が管理する情報機器４を通信ネットワーク１を介してサーバ３と接続する。管理者が管理する情報機器４は、その動作を統括制御する制御部として機能するＣＰＵ（中央処理装置）１２５を備え、バスを通じてＣＰＵ１２５と、ＲＡＭ１２７、ＲＯＭ１２８、ネットワーク通信部１２６が接続されている。このうち、ＲＯＭ（リード・オンリ・メモリ）１２８は、ＣＰＵ１２５が実行するプログラムや各種固定データを記憶した読み出し専用メモリである。ＲＡＭ（ランダム・アクセス・メモリ）１２７は、ＣＰＵ１２５がプログラムを実行する際に各種データを一時的に格納するワークメモリや、データを格納するデータ格納メモリとして機能するメモリである。
【０１３２】
ＣＰＵ１２５は、削減高情報提供要請手段１２５１と削減高情報取得手段１２５２としての機能を有する。削減高情報提供要請手段１２５１は、通信ネットワーク１に接続されているサーバ３に、ユーザーＩＤとパスワードをネットワーク通信部１２６を介して送信し、サーバ３から承認が得られると、削減高決定手段（サ）１２１２が決定した削減高に関する情報の提供をネットワーク通信部１２６を介して要請する機能を有する。削減高情報取得手段１２５２は、通信ネットワーク１に接続されているサーバ３から、削減高決定手段（サ）１２１２が決定した削減高に関する情報をネットワーク通信部１２６を介して取得する機能を有する。取得した削減高に関する情報は、図示しない顧客ごとのファイルに格納される。また、必要に応じて、プリントアウトすることもできる。
【０１３３】
図１３は、本発明の実施形態の動作を示すフローチャートである。
【０１３４】
第１情報機器２は、制御装置９により制御された電力消費装置１０が消費する電力消費量の積算値に関する情報を積算電力計から取得する（ステップＳ１３１）。取得した電力消費量の積算値に関する情報はサーバ３に送信される（ステップＳ１３２）。
【０１３５】
サーバ３側では、積算値情報取得手段（サ）１２１１が、第１情報機器２から、通信ネットワーク１を介して送信されてきた電力消費量の積算値に関する情報を取得する（ステップＳ１３３）。次いで、削減高決定手段（サ）１２１２は、積算値情報取得手段（サ）１２１１が取得した電力消費量の積算値に関する情報をもとに電力消費量の削減高を決定する（ステップＳ１３４）。
【０１３６】
管理者は、管理者の管理する情報機器４を操作し、ユーザーＩＤとパスワードを入力する。管理者の管理する情報機器４は、削減高情報提供要請手段１２５１が、ユーザーＩＤとパスワードをサーバ３に送信し、サーバ３から承認が得られると、削減高決定手段（サ）１２１２が決定した削減高に関する情報の提供を要請する（ステップＳ１３５）。
【０１３７】
サーバ３は、削減高情報提供要請受付手段１２１３が、ユーザーＩＤとパスワードが正当であると判断すると、承認の通知を管理者の管理する情報機器４に送信し、次いで、管理者の管理する情報機器４からの要請を受け付けて、削減高情報提供手段１２１４が、削減高決定手段（サ）１２１２が決定した削減高に関する情報を送信する（ステップＳ１３６）。管理者の管理する情報機器４では、削減高情報取得手段１２５２は削減高決定手段（サ）１２１２が決定した削減高に関する情報を受信する（ステップＳ１３７）。
【０１３８】
図１５は、図１４における本発明の実施形態に係るサーバ３及び管理者が管理する情報機器４のブロック図である。
【０１３９】
図１５（ａ）は、サーバ３の実施形態を説明するブロック図である。ネットワーク通信部１６２は、通信ネットワーク１とのインターフェイス機能を有し、サーバ３を通信ネットワーク１を介して第１情報機器２と管理者が管理する情報機器４に接続する。サーバ３は、その動作を統括制御する制御部として機能するＣＰＵ（中央処理装置）１６１を備え、バスを通じてＣＰＵ１６１と、ＲＡＭ１６３、ＲＯＭ１６４、ネットワーク通信部１６２が接続されている。このうち、ＲＯＭ（リード・オンリ・メモリ）１６４は、ＣＰＵ１６１が実行するプログラムや各種固定データを記憶した読み出し専用メモリである。ＲＡＭ（ランダム・アクセス・メモリ）１６３は、ＣＰＵ１６１がプログラムを実行する際に各種データを一時的に格納するワークメモリや、データを格納するデータ格納メモリとして機能するメモリである。
【０１４０】
ＣＰＵ１６１は、積算値情報取得手段（サ）１６１１と、削減高決定手段（サ）１６１２、分配金額算出手段（サ）１６１３、分配金額情報提供要請受付手段１６１４、分配金額情報提供手段１６１５としての機能を有する。積算値情報取得手段（サ）１６１１は、通信ネットワーク１に接続されている第１情報機器２から転送されてくる電力消費量の積算値に関する情報をネットワーク通信部１６２を介して取得する機能を有する。
【０１４１】
削減高決定手段（サ）１６１２は、積算値情報取得手段（サ）１６１１が取得した電力消費量の積算値に関する情報をもとに電力消費量の削減高を決定する機能を有する。図示しない顧客ごとのファイルに記録されている制御装置９を適用しない１年前の同月の電力消費量を比較して、積算値情報取得手段（サ）１６１１が取得した電力消費量の積算値に関する情報から削減高を決定する。
【０１４２】
分配金額算出手段（サ）１６１３は、削減高決定手段（サ）１６１２が決定した電力消費量の削減高を顧客と管理者が分配する金額を、あらかじめ決められた分配比率に基づき算出する機能を有する。あらかじめ決められた分配比率は、前記した表１に示したものを基準とすることができる。
【０１４３】
分配金額情報提供要請受付手段１６１４は、通信ネットワーク１に接続されている管理者が管理する情報機器４から送信されてくる分配金額情報提供の要請をネットワーク通信部１６２を介して受け付ける機能を有する。また、分配金額情報提供要請受付手段１６１４は、管理者が管理する情報機器４から送信されてくるユーザーＩＤとパスワードを判別する機能も有している。分配金額情報提供手段１６１５は、通信ネットワーク１に接続されている管理者が管理する情報機器４に、分配金額算出手段（サ）１６１３が算出した顧客と管理者が分配する金額を含む情報をネットワーク通信部１６２を介して送信する機能を有する。
【０１４４】
図１５（ｂ）は、管理者が管理する情報機器４の実施形態を説明するブロック図である。ネットワーク通信部１６６は、通信ネットワーク１とのインターフェイス機能を有し、管理者が管理する情報機器４を通信ネットワーク１を介してサーバ３及び顧客が管理する情報機器７と接続する。管理者が管理する情報機器４は、その動作を統括制御する制御部として機能するＣＰＵ（中央処理装置）１６５を備え、バスを通じてＣＰＵ１６５と、ＲＡＭ１６７、ＲＯＭ１６８、ネットワーク通信部１６６が接続されている。このうち、ＲＯＭ（リード・オンリ・メモリ）１６８は、ＣＰＵ１６５が実行するプログラムや各種固定データを記憶した読み出し専用メモリである。ＲＡＭ（ランダム・アクセス・メモリ）１６７は、ＣＰＵ１６５がプログラムを実行する際に各種データを一時的に格納するワークメモリや、データを格納するデータ格納メモリとして機能するメモリである。
【０１４５】
ＣＰＵ１６５は、分配金額情報提供要請手段１６５１と、分配金額情報取得手段１６５２と、分配金額情報通知手段１６５３としての機能を有する。分配金額情報提供要請手段１６５１は、通信ネットワーク１に接続されているサーバ３に、ユーザーＩＤとパスワードをネットワーク通信部１６６を介して送信し、サーバ３から承認が得られると、分配金額算出手段（サ）１６１３が算出した顧客と管理者が分配する金額を含む情報の提供をネットワーク通信部１６６を介して要請する機能を有する。分配金額情報取得手段１６５２は、通信ネットワーク１に接続されているサーバ３から、分配金額算出手段（サ）１６１３が算出した顧客と管理者が分配する金額を含む情報を、ネットワーク通信部１６６を介して取得する機能を有する。取得した顧客と管理者が分配する金額を含む情報は、図示しない顧客ごとのファイルに格納される。また、必要に応じて、プリントアウトすることもできる。
【０１４６】
分配金額情報通知手段１６５３は、通信ネットワーク１に接続されている顧客が管理する情報機器７に、分配金額情報取得手段１６５２が取得した顧客と管理者が分配する金額を含む情報を、ネットワーク通信部１６６を介して送信する機能を有する。顧客と管理者が分配する金額を含む情報としては、顧客が管理者に支払う金額だけであってもよく、また、両者が分配し合う金額を含むものであってもよい。
【０１４７】
図１６は、本発明の実施形態の動作を示すフローチャートである。
【０１４８】
第１情報機器２は、制御装置９により制御された電力消費装置１０が消費する電力消費量の積算値に関する情報を積算電力計から取得する（ステップＳ１５１）。取得した電力消費量の積算値に関する情報はサーバ３に送信される（ステップＳ１５２）。
【０１４９】
サーバ３側では、積算値情報取得手段（サ）１６１１が、第１情報機器２から、通信ネットワーク１を介して送信されてきた電力消費量の積算値に関する情報を取得する（ステップＳ１５３）。次いで、削減高決定手段（サ）１６１２は、積算値情報取得手段（サ）１６１１が取得した電力消費量の積算値に関する情報をもとに電力消費量の削減高を決定する（ステップＳ１５４）。引き続き、分配金額算出手段（サ）１６１３は、削減高決定手段（サ）１６１２が決定した電力消費量の削減高を顧客と管理者が分配する金額を、あらかじめ決められた分配比率に基づき算出する（ステップＳ１５５）。
【０１５０】
管理者は、管理者の管理する情報機器４を操作し、ユーザーＩＤとパスワードを入力する。管理者の管理する情報機器４は、分配金額情報提供要請手段１６５１が、ユーザーＩＤとパスワードをサーバ３に送信し、サーバ３から承認が得られると、顧客と管理者が分配する金額を含む情報の提供を要請する（ステップＳ１５６）。
【０１５１】
サーバ３は、分配金額情報提供要請受付手段１６１４が、ユーザーＩＤとパスワードが正当であると判断すると、承認の通知を管理者の管理する情報機器４に送信し、次いで、管理者の管理する情報機器４からの要請を受け付けて、分配金額情報提供手段１６１５が、顧客と管理者が分配する金額を含む情報を送信する（ステップＳ１５７）。
【０１５２】
管理者の管理する情報機器４では、分配金額情報取得手段１６５２が顧客と管理者が分配する金額を含む情報を受信する（ステップＳ１５８）。次いで、分配金額情報通知手段１５９は、顧客が管理する情報機器７に、分配金額情報取得手段１６５２が取得した顧客と管理者が分配する金額を含む情報を送信する（ステップＳ１５９）。顧客が管理する情報機器７では、管理者の管理する情報機器４から送信されてきた顧客と管理者が分配する金額を含む情報を受信する（ステップＳ１６０）。顧客と管理者が分配する金額を含む情報を受領した顧客は、管理者の指定する銀行口座に指定された金額を振り込む。
【０１５３】
図１７は、図１４における本発明の実施形態に係るサーバ３及び管理者が管理する情報機器４のブロック図である。
【０１５４】
図１７（ａ）は、サーバ３の実施形態を説明するブロック図である。ネットワーク通信部１８２は、通信ネットワーク１とのインターフェイス機能を有し、サーバ３を通信ネットワーク１を介して第１情報機器２と管理者が管理する情報機器４に接続する。サーバ３は、その動作を統括制御する制御部として機能するＣＰＵ（中央処理装置）１８１を備え、バスを通じてＣＰＵ１８１と、ＲＡＭ１８３、ＲＯＭ１８４、ネットワーク通信部１８２が接続されている。このうち、ＲＯＭ（リード・オンリ・メモリ）１８４は、ＣＰＵ１８１が実行するプログラムや各種固定データを記憶した読み出し専用メモリである。ＲＡＭ（ランダム・アクセス・メモリ）１８３は、ＣＰＵ１８１がプログラムを実行する際に各種データを一時的に格納するワークメモリや、データを格納するデータ格納メモリとして機能するメモリである。
【０１５５】
ＣＰＵ１８１は、積算値情報取得手段（サ）１８１１と、積算値情報提供要請受付手段１８１２と積算値情報提供手段１８１３としての機能を有する。積算値情報取得手段（サ）１８１１は、通信ネットワーク１に接続されている第１情報機器２から転送されてくる電力消費量の積算値に関する情報をネットワーク通信部１８２を介して取得する機能を有する。積算値情報提供要請受付手段１８１２は、通信ネットワーク１に接続されている管理者が管理する情報機器４から送信されてくる電力消費量の積算値に関する情報の提供の要請をネットワーク通信部１８２を介して受け付ける機能を有する。また、積算値情報提供要請受付手段１１１２は、管理者が管理する情報機器４から送信されてくるユーザーＩＤとパスワードを判別する機能も有している。積算値情報提供手段１８１３は、通信ネットワーク１に接続されている管理者が管理する情報機器４に電力消費量の積算値に関する情報を、ネットワーク通信部１８２を介して送信する機能を有する。
【０１５６】
図１７（ｂ）は、管理者が管理する情報機器４の実施形態を説明するブロック図である。ネットワーク通信部１８６は、通信ネットワーク１とのインターフェイス機能を有し、管理者が管理する情報機器４を通信ネットワーク１を介してサーバ３及び顧客が管理する情報機器７と接続する。管理者が管理する情報機器４は、その動作を統括制御する制御部として機能するＣＰＵ（中央処理装置）１８５を備え、バスを通じてＣＰＵ１８５と、ＲＡＭ１８７、ＲＯＭ１８８、ネットワーク通信部１８６が接続されている。このうち、ＲＯＭ（リード・オンリ・メモリ）１８８は、ＣＰＵ１８５が実行するプログラムや各種固定データを記憶した読み出し専用メモリである。ＲＡＭ（ランダム・アクセス・メモリ）１８７は、ＣＰＵ１８５がプログラムを実行する際に各種データを一時的に格納するワークメモリや、データを格納するデータ格納メモリとして機能するメモリである。
【０１５７】
ＣＰＵ１８５は、積算値情報提供要請手段１８５１と、積算値情報取得手段（管）１８５２、削減高決定手段（管）１８５３、分配金額算出手段（管）１８５４、分配金額情報通知手段１８５５としての機能を有する。
【０１５８】
積算値情報提供要請手段１８５１は、通信ネットワーク１に接続されているサーバ３に、ユーザーＩＤとパスワードをネットワーク通信部１８６を介して送信し、サーバ３から承認が得られると、積算値情報取得手段（サ）１８１１が取得した電力消費量の積算値に関する情報の提供をネットワーク通信部１８６を介して要請する機能を有する。積算値情報取得手段（管）１８５２は、通信ネットワーク１に接続されているサーバ３から、積算値情報取得手段（サ）１８１１が取得した電力消費量の積算値に関する情報をネットワーク通信部１８６を介して取得する機能を有する。
【０１５９】
削減高決定手段（管）１８５３は、積算値情報取得手段（管）１８５２が取得した電力消費量の積算値に関する情報をもとに電力消費量の削減高を決定する機能を有する。図示しない顧客ごとのファイルに記録されている制御装置９を適用しない１年前の同月の電力消費量を比較して、積算値情報取得手段（管）１８５２が取得した電力消費量の積算値に関する情報から削減高を決定する。
【０１６０】
分配金額算出手段（管）１８５４は、削減高決定手段（管）１８５３が決定した電力消費量の削減高を顧客と管理者が分配する金額を、あらかじめ決められた分配比率に基づき算出する機能を有する。あらかじめ決められた分配比率は、前記した表１に示したものを基準とすることができる。分配金額情報通知手段１８５５は、通信ネットワーク１に接続されている顧客が管理する情報機器７に、分配金額算出手段（管）１８５４が算出した顧客と管理者が分配する金額を含む情報を、ネットワーク通信部１８６を介して送信する機能を有する。顧客と管理者が分配する金額を含む情報としては、顧客が管理者に支払う金額だけであってもよく、また、両者が分配し合う金額を含むものであってもよい。
【０１６１】
図１８は、本発明の実施形態の動作を示すフローチャートである。
【０１６２】
第１情報機器２は、制御装置９により制御された電力消費装置１０が消費する電力消費量の積算値に関する情報を積算電力計から取得する（ステップＳ１７１）。取得した電力消費量の積算値に関する情報はサーバ３に送信される（ステップＳ１７２）。
【０１６３】
サーバ３側では、積算値情報取得手段（サ）１８１１が、第１情報機器２から、通信ネットワーク１を介して送信されてきた電力消費量の積算値に関する情報を取得する（ステップＳ１７３）。
【０１６４】
管理者は、管理者の管理する情報機器４を操作し、ユーザーＩＤとパスワードを入力する。管理者の管理する情報機器４は、積算値情報提供要請手段１８５１が、ユーザーＩＤとパスワードをサーバ３に送信し、サーバ３から承認が得られると、積算値情報取得手段（サ）１８１１が取得した電力消費量の積算値に関する情報の提供を要請する（ステップＳ１７４）。
【０１６５】
サーバ３側では、積算値情報提供要請受付手段１８１２が、ユーザーＩＤとパスワードが正当であると判断すると、承認の通知を管理者の管理する情報機器４に送信し、次いで、管理者の管理する情報機器４からの要請を受け付けて、積算値情報提供手段１８１３は、積算値情報取得手段（サ）１８１１が取得した電力消費量の積算値に関する情報を送信する（ステップＳ１７５）。
【０１６６】
管理者の管理する情報機器４側では、積算値情報取得手段（管）１８５２は、サーバ３から、積算値情報取得手段（サ）１８１１が取得した電力消費量の積算値に関する情報を報を取得する（ステップＳ１７６）。次いで、削減高決定手段（管）１８５３は、積算値情報取得手段（管）１８５２が取得した電力消費量の積算値に関する情報をもとに電力消費量の削減高を決定する（ステップＳ１７７）。引き続き、分配金額算出手段（管）１８５４は、削減高決定手段（管）１８５３が決定した電力消費量の削減高を顧客と管理者が分配する金額を、あらかじめ決められた分配比率に基づき算出する（ステップＳ１７８）。次いで、分配金額情報通知手段１８５５は、顧客が管理する情報機器７に、分配金額算出手段（管）１８５４が算出した顧客と管理者が分配する金額を含む情報を送信する（ステップＳ１７９）。顧客が管理する情報機器７では、管理者の管理する情報機器４から送信されてきた顧客と管理者が分配する金額を含む情報を受信する（ステップＳ１８０）。顧客と管理者が分配する金額を含む情報を受領した顧客は、管理者の指定する銀行口座に指定された金額を振り込む。
【０１６７】
図１９は、図１４における本発明の実施形態に係るサーバ３及び管理者が管理する情報機器４のブロック図である。図１９（ａ）は、サーバ３の実施形態を説明するブロック図である。ネットワーク通信部２０２は、通信ネットワーク１とのインターフェイス機能を有し、サーバ３を通信ネットワーク１を介して第１情報機器２と管理者が管理する情報機器４に接続する。サーバ３は、その動作を統括制御する制御部として機能するＣＰＵ（中央処理装置）２０１を備え、バスを通じてＣＰＵ２０１と、ＲＡＭ２０３、ＲＯＭ２０４、ネットワーク通信部２０２が接続されている。このうち、ＲＯＭ（リード・オンリ・メモリ）２０４は、ＣＰＵ２０１が実行するプログラムや各種固定データを記憶した読み出し専用メモリである。ＲＡＭ（ランダム・アクセス・メモリ）２０３は、ＣＰＵ２０１がプログラムを実行する際に各種データを一時的に格納するワークメモリや、データを格納するデータ格納メモリとして機能するメモリである。
【０１６８】
ＣＰＵ２０１は、積算値情報取得手段（サ）２０１１と、削減高決定手段（サ）２０１２、削減高情報提供要請受付手段２０１３、削減高情報提供手段２０１４としての機能を有する。積算値情報取得手段（サ）２０１１は、通信ネットワーク１に接続されている第１情報機器２から転送されてくる電力消費量の積算値に関する情報をネットワーク通信部２０２を介して取得する機能を有する。
【０１６９】
削減高決定手段（サ）２０１２は、積算値情報取得手段（サ）２０１１が取得した電力消費量の積算値に関する情報をもとに電力消費量の削減高を決定する機能を有する。図示しない顧客ごとのファイルに記録されている制御装置９を適用しない１年前の同月の電力消費量を比較して、積算値情報取得手段（サ）２０１１が取得した電力消費量の積算値に関する情報から削減高を決定する。
【０１７０】
削減高情報提供要請受付手段２０１３は、通信ネットワーク１に接続されている管理者が管理する情報機器４から送信されてくる削減高情報提供の要請をネットワーク通信部２０２を介して受け付ける機能を有する。また、削減高情報提供要請受付手段２０１３は、管理者が管理する情報機器４から送信されてくるユーザーＩＤとパスワードを判別する機能も有している。削減高情報提供手段２０１４は、通信ネットワーク１に接続されている管理者が管理する情報機器４に、削減高決定手段（サ）２０１２が決定した削減高に関する情報をネットワーク通信部２０２を介して送信する機能を有する。
【０１７１】
図１９（ｂ）は、管理者が管理する情報機器４の実施形態を説明するブロック図である。ネットワーク通信部２０６は、通信ネットワーク１とのインターフェイス機能を有し、管理者が管理する情報機器４を通信ネットワーク１を介してサーバ３と接続する。管理者が管理する情報機器４は、その動作を統括制御する制御部として機能するＣＰＵ（中央処理装置）２０５を備え、バスを通じてＣＰＵ２０５と、ＲＡＭ２０７、ＲＯＭ２０８、ネットワーク通信部２０６が接続されている。このうち、ＲＯＭ（リード・オンリ・メモリ）２０８は、ＣＰＵ２０５が実行するプログラムや各種固定データを記憶した読み出し専用メモリである。ＲＡＭ（ランダム・アクセス・メモリ）２０７は、ＣＰＵ２０５がプログラムを実行する際に各種データを一時的に格納するワークメモリや、データを格納するデータ格納メモリとして機能するメモリである。
【０１７２】
ＣＰＵ２０５は、削減高情報提供要請手段２０５１と削減高情報取得手段（管）２０５２、分配金額算出手段（管）２０５３、分配金額情報通知手段２０５４としての機能を有する。
【０１７３】
削減高情報提供要請手段２０５１は、通信ネットワーク１に接続されているサーバ３に、ユーザーＩＤとパスワードをネットワーク通信部２０６を介して送信し、サーバ３から承認が得られると、削減高決定手段（サ）２０１２が決定した削減高に関する情報の提供をネットワーク通信部２０６を介して要請する機能を有する。削減高情報取得手段（管）２０５２は、通信ネットワーク１に接続されているサーバ３から、削減高決定手段（サ）２０１２が決定した削減高に関する情報をネットワーク通信部２０６を介して取得する機能を有する。
【０１７４】
分配金額算出手段（管）２０５３は、削減高情報取得手段（管）２０５２が取得した電力消費量の削減高を顧客と管理者が分配する金額を、あらかじめ決められた分配比率に基づき算出する機能を有する。あらかじめ決められた分配比率は、前記した表１に示したものを基準とすることができる。算出した分配金額に関する情報は、図示しない顧客ごとのファイルに格納される。また、分配金額情報通知手段２０５４は、通信ネットワーク１に接続されている顧客が管理する情報機器７に、分配金額算出手段（管）２０５３が算出した顧客と管理者が分配する金額を含む情報を、ネットワーク通信部２０６を介して送信する機能を有する。顧客と管理者が分配する金額を含む情報としては、顧客が管理者に支払う金額だけであってもよく、また、両者が分配し合う金額を含むものであってもよい。
【０１７５】
図２０は、本発明の実施形態の動作を示すフローチャートである。
【０１７６】
第１情報機器２は、制御装置９により制御された電力消費装置１０が消費する電力消費量の積算値に関する情報を積算電力計から取得する（ステップＳ１９１）。取得した電力消費量の積算値に関する情報はサーバ３に送信される（ステップＳ１９２）。
【０１７７】
サーバ３側では、積算値情報取得手段（サ）２０１１が、第１情報機器２から、通信ネットワーク１を介して送信されてきた電力消費量の積算値に関する情報を取得する（ステップＳ１９３）。次いで、削減高決定手段（サ）２０１２は、積算値情報取得手段（サ）２０１１が取得した電力消費量の積算値に関する情報をもとに電力消費量の削減高を決定する（ステップＳ１９４）。
【０１７８】
管理者は、管理者の管理する情報機器４を操作し、ユーザーＩＤとパスワードを入力する。管理者の管理する情報機器４側では、削減高情報提供要請手段２０５１が、サーバ３に、ユーザーＩＤとパスワードを送信し、サーバ３から承認が得られると、削減高決定手段（サ）２０１２が決定した削減高に関する情報の提供を要請する（ステップＳ１９５）。
【０１７９】
サーバ３側では、削減高情報提供要請受付手段２０１３が、ユーザーＩＤとパスワードが正当であると判断すると、承認の通知を管理者の管理する情報機器４に送信し、次いで、管理者の管理する情報機器４からの要請を受け付けて、削減高情報提供手段２０１４は、削減高決定手段（サ）２０１２が決定した削減高に関する情報を送信する（ステップＳ１９６）。
【０１８０】
管理者の管理する情報機器４側では、削減高情報取得手段（管）２０５２は、サーバ３から、削減高決定手段（サ）２０１２が決定した削減高に関する情報を取得する（ステップＳ１９７）。次いで、分配金額算出手段（管）２０５３は、削減高情報取得手段（管）２０５２が取得した電力消費量の削減高を顧客と管理者が分配する金額を、あらかじめ決められた分配比率に基づき算出する（ステップＳ１９８）。引き続き、分配金額情報通知手段２０５４は、顧客が管理する情報機器７に、分配金額算出手段（管）２０５３が算出した顧客と管理者が分配する金額を含む情報を送信する（ステップＳ１９９）。顧客が管理する情報機器７では、管理者の管理する情報機器４から送信されてきた顧客と管理者が分配する金額を含む情報を受信する（ステップＳ２００）。顧客と管理者が分配する金額を含む情報を受領した顧客は、管理者の指定する銀行口座に指定された金額を振り込む。
【図面の簡単な説明】
【０１８１】
【図１】本発明の実施形態に係る電力消費量削減高管理システムの構成例を示す図である。
【図２】図１における本発明の実施形態に係るサーバ及び管理者が管理する情報機器のブロック図である。
【図３】本発明の実施形態の動作を示すフローチャートである。
【図４】本発明の実施形態に係る電力消費量削減高分配システムの構成例を示す図である。
【図５】図４における本発明の実施形態に係るサーバ及び管理者が管理する情報機器のブロック図である。
【図６】本発明の実施形態の動作を示すフローチャートである。
【図７】図４における本発明の実施形態に係るサーバ及び管理者が管理する情報機器のブロック図である。
【図８】本発明の実施形態の動作を示すフローチャートである。
【図９】本発明の実施形態に係る電力消費量削減高管理システムの構成例を示す図である。
【図１０】図９における本発明の実施形態に係るサーバ及び管理者が管理する情報機器のブロック図である。
【図１１】本発明の実施形態の動作を示すフローチャートである。
【図１２】図９における本発明の実施形態に係るサーバ及び管理者が管理する情報機器のブロック図である。
【図１３】本発明の実施形態の動作を示すフローチャートである。
【図１４】本発明の実施形態に係る電力消費量削減高分配システムの構成例を示す図である。
【図１５】図１４における本発明の実施形態に係るサーバ及び管理者が管理する情報機器のブロック図である。
【図１６】本発明の実施形態の動作を示すフローチャートである。
【図１７】図１４における本発明の実施形態に係るサーバ及び管理者が管理する情報機器のブロック図である。
【図１８】本発明の実施形態の動作を示すフローチャートである。
【図１９】図１４における本発明の実施形態に係るサーバ及び管理者が管理する情報機器のブロック図である。
【図２０】本発明の実施形態の動作を示すフローチャートである。
【符号の説明】
【０１８２】
１  通信ネットワーク
２  第１情報機器
３  サーバ
４  表示器
５、１０  電力消費装置
６、９  制御装置
７  顧客が管理する情報機器
８  配電盤
３１、３５、６１、６５、８１、８５、１１１、１１５、１２１、１２５１６１、１６５、１８１、１８５、２０１、２０５  ＣＰＵ
３２、３６、６２、６６、８２、８６、１１２、１１６、１２２、１２６、１６２、１６６、１８２、１８６、２０２、２０６  ネットワーク通信部
３３、３７、６３、６７、８３、８７、１１３、１１７、１２３、１２７、１６３、１６７、１８３、１８７、２０３、２０７  ＲＡＭ
３４、３８、６４、６８、８４、８８、１１４、１１８、１２４、１２８、１６４、１６８、１８４、１８８、２０４、２０８  ＲＯＭ
【図１】
2006018629.tif 000004
【図２】
2006018629.tif 000005
【図３】
2006018629.tif 000006
【図４】
2006018629.tif 000007
【図５】
2006018629.tif 000008
【図６】
2006018629.tif 000009
【図７】
2006018629.tif 000010
【図８】
2006018629.tif 000011
【図９】
2006018629.tif 000012
【図１０】
2006018629.tif 000013
【図１１】
2006018629.tif 000014
【図１２】
2006018629.tif 000015
【図１３】
2006018629.tif 000016
【図１４】
2006018629.tif 000017
【図１５】
2006018629.tif 000018
【図１６】
2006018629.tif 000019
【図１７】
2006018629.tif 000020
【図１８】
2006018629.tif 000021
【図１９】
2006018629.tif 000022
【図２０】
2006018629.tif 000023